(57)【特許請求の範囲】
【請求項１】
無線または有線のコンテンツ配信媒体を経由して情報コンテンツを供給側の情報授受装置が視聴側の情報授受装置へ供給し、且つ前記供給側と前記視聴側の両情報授受装置を結ぶ双方向の通信媒体を介して情報授受する、コンテンツ配信システムによる情報授受方法であって、
前記情報コンテンツは少なくとも記事コンテンツまたは広告コンテンツの一方を含み、
前記供給側の情報授受装置の配信手段が、前記各情報コンテンツの各々に、少なくとも分野に応じた分野情報を含む標識を前記情報コンテンツに添付して情報フラグメントを生成し、該情報フラグメントを載せたコンテンツ配信ストリームを前記視聴側の情報授受装置へ配信する、第１過程と、
前記視聴側の情報授受装置の管理及び通信手段が、視聴者によって指定された前記分野と購読期間を少なくとも示す注文・選択情報を、前記通信媒体を経由して前記供給側の情報授受装置へ送付する、第２過程と、
前記供給側の情報授受装置の販売管理手段が、前記視聴側の情報授受装置から供給された前記注文・選択情報に基づき、該注文・選択情報で指定された内容に適う情報フラグメントの取り込みを許可する限定受信情報を生成して、前記視聴側の情報授受装置へ前記通信媒体を経由して送付する、第３過程と、
前記供給側の情報授受装置の決済手段が、前記注文・選択情報で指定された内容に基づき、前記視聴側への課金処理を実行する、第４過程と、
前記視聴側の情報授受装置の受信手段が、前記供給側の情報授受装置から供給された前記限定受信情報に基づき、前記視聴者によって指定された購読期間内において、受信した前記コンテンツ配信ストリームから前記視聴者の指定に適う情報フラグメントの取り込みを行う、第５過程と
を有することを特徴とする情報授受方法。
【請求項２】
無線または有線のコンテンツ配信媒体を経由して情報コンテンツを供給側の情報授受装置が視聴側の情報授受装置へ供給し、且つ前記供給側と前記視聴側の両情報授受装置を結ぶ双方向の通信媒体を介して情報授受する、コンテンツ配信システムによる情報授受方法であって、
前記情報コンテンツは少なくとも記事コンテンツまたは広告コンテンツの一方を含み、
前記供給側の情報授受装置の配信手段が、前記各情報コンテンツの各々に、少なくとも分野に応じた分野情報を含む標識を前記情報コンテンツに添付して情報フラグメントを生成し、前記記事コンテンツに係る情報フラグメントと、前記広告コンテンツに係る情報フラグメントとを対応付ける記事／広告対応情報を作成し、前記記事／広告対応情報および前記情報フラグメントを載せたコンテンツ配信ストリームを前記視聴側の情報授受装置へ配信する、第１過程と、
前記視聴側の情報授受装置の管理及び通信手段が、視聴者によって指定された前記分野と購読期間を少なくとも示す注文・選択情報を、前記通信媒体を経由して前記供給側の情報授受装置へ送付する、第２過程と、
前記供給側の情報授受装置の販売管理手段が、前記視聴側の情報授受装置から供給された前記注文・選択情報に基づき、該注文・選択情報で指定された内容に適う情報フラグメントの取り込みを許可する限定受信情報を生成して、前記視聴側の情報授受装置へ前記通信媒体を経由して送付する、第３過程と、
前記供給側の情報授受装置の決済手段が、前記注文・選択情報で指定された内容に基づき、前記視聴側への課金処理を実行する、第４過程と、
前記視聴側の情報授受装置の受信手段が、前記供給側の情報授受装置から供給された前記限定受信情報に基づき、前記視聴者によって指定された購読期間内において、受信した前記コンテンツ配信ストリームから前記視聴者の指定に適う情報フラグメントおよび、前記記事／広告対応情報に基づき対応付けられた情報フラグメントの取り込みを行う、第５過程と、
を有することを特徴とする情報授受方法。
【請求項３】
前記配信手段は、前記第１過程において、少なくとも前記情報フラグメントを暗号化して、前記暗号化された情報フラグメントを載せたコンテンツ配信ストリームを前記視聴側の情報授受装置へ送信し、
前記販売管理手段は、前記第３過程において、前記限定受信情報に少なくとも、前記暗号化された情報フラグメントから元の情報フラグメントを復元するための復号化情報を搭載し、
前記受信手段は、前記第５過程において、前記限定受信情報に搭載されている前記復号化情報を用いて、前記取り込んだ情報フラグメントの復号化を行う
ことを特徴とする請求項１または２記載の情報授受方法。
【請求項４】
前記販売管理手段は、前記第３過程において、前記限定受信情報に少なくとも、前記視聴者側の情報授受装置が前記指定期間内において前記指定に適う情報フラグメントのみか、或いは前記指定に適う情報フラグメントおよび、これに対応付けられた情報フラグメントに限定して取り込むよう制御する制御情報を搭載させ、
前記受信手段は、前記第５過程において、受信した前記制御情報に基づいて、前記指定期間内において前記コンテンツ配信ストリームから前記指定に適う前記情報フラグメントのみか、或いは前記指定に適う情報フラグメントおよび、これに対応付けられた情報フラグメントのみを取り込む、
ことを特徴とする請求項１または２記載の情報授受方法。
【請求項５】
無線または有線のコンテンツ配信媒体を経由して情報コンテンツを、具備する供給側の情報授受装置が、具備する視聴側の情報授受装置へ供給し、且つ前記供給側と前記視聴側の両情報授受装置を結ぶ双方向の通信媒体を具備する情報授受システムであって、
前記情報コンテンツは少なくとも記事コンテンツまたは広告コンテンツの一方を含み、
前記供給側の情報授受装置は、
前記各情報コンテンツの各々に、少なくとも分野に応じた分野情報を含む標識を前記情報コンテンツに添付して情報フラグメントを生成し、該情報フラグメントを載せたコンテンツ配信ストリームを前記視聴側の情報授受装置へ配信する配信手段と、
前記視聴側の情報授受装置から送信された、購読条件を指定した注文情報を前記通信媒体を経由して受信し、且つ、前記注文情報に適合する前記情報フラグメントの取り込みを許可する限定受信情報を生成して、前記通信媒体を経由して前記視聴側の情報授受装置へ送信する販売管理手段と、
前記購読条件に基づき、前記視聴側への課金処理を実行する決済手段と、
を備え、
前記視聴側の情報授受装置は、
前記購読条件として視聴者によって指定された前記分野と購読期間を少なくとも示す前記注文情報を、前記通信媒体を経由して前記供給側の情報授受装置へ送信し、且つ、前記限定受信情報を前記通信媒体を経由して前記供給側の情報授受装置から受信する管理および通信手段と、
受信した前記限定受信情報に基づき、前記視聴者によって指定された購読期間内において、前記コンテンツ配信ストリームから前記視聴者の指定に適う情報フラグメントの取り込みを行う受信手段と、
を有することを特徴とする情報授受システム。
【請求項６】
無線または有線のコンテンツ配信媒体を経由して情報コンテンツを、具備する供給側の情報授受装置が、具備する視聴側の情報授受装置へ供給し、且つ前記供給側と前記視聴側の両情報授受装置を結ぶ双方向の通信媒体を具備する情報授受システムであって、
前記情報コンテンツは少なくとも記事コンテンツまたは広告コンテンツの一方を含み、
前記供給側の情報授受装置は、
前記各情報コンテンツの各々に、少なくとも分野に応じた分野情報を含む標識を前記情報コンテンツに添付して情報フラグメントを生成し、前記記事コンテンツに係る情報フラグメントと、前記広告コンテンツに係る情報フラグメントとを対応付ける記事／広告対応情報を作成し、前記記事／広告対応情報および前記情報フラグメントを載せたコンテンツ配信ストリームを前記視聴側の情報授受装置へ配信する配信手段と、
前記視聴側の情報授受装置から送信された、購読条件を指定した注文情報を前記通信媒体を経由して受信し、且つ、前記注文情報に適合する前記情報フラグメントの取り込みを許可する限定受信情報を生成して、前記通信媒体を経由して前記視聴側の情報授受装置へ送信する販売管理手段と、
前記購読条件に基づき、前記視聴側への課金処理を実行する決済手段と、
を備え、
前記視聴側の情報授受装置は、
前記購読条件として視聴者によって指定された前記分野と購読期間を少なくとも示す前記注文情報を、前記通信媒体を経由して前記供給側の情報授受装置へ送信し、且つ、前記限定受信情報を前記通信媒体を経由して前記供給側の情報授受装置から受信する管理および通信手段と、
前記情報フラグメントおよび前記記事／広告対応情報を載せたコンテンツ配信ストリームを受信して、前記限定受信情報に基づき、前記視聴者によって指定された購読期間内において、受信した前記コンテンツ配信ストリームから前記視聴者の指定に適う情報フラグメントおよび、前記記事／広告対応情報に基づき対応付けられた情報フラグメントの取り込みを行う受信手段と
を有することを特徴とする情報授受システム。
【請求項７】
前記配信手段は、少なくとも前記情報フラグメントを暗号化して送信し、
前記販売管理手段は、少なくとも前記暗号化された情報フラグメントから元の情報フラグメントを復元するための復号化情報を前記限定受信情報に搭載し、
前記受信手段は、取り込んだ前記暗号化された情報フラグメントにつき、受信した前記復号化情報に基づいて元の情報フラグメントに復号させる、
ことを特徴とする請求項５または６記載の情報授受システム。
【請求項８】
前記販売管理手段は、前記受信手段が前記購読期間内において前記指定内容に適う情報フラグメントのみか、或いは前記指定内容に適う情報フラグメントおよび、これに対応付けられた情報フラグメントのみを取り込むよう制御する制御情報を前記限定受信情報に搭載し、
前記受信手段は、受信した前記制御情報に基づいて、前記購読期間内において前記コンテンツ配信ストリームから前記指定内容に適う前記情報フラグメントのみか、或いは前記指定内容に適う情報フラグメントおよび、これに対応付けられた情報フラグメントのみを取り込むことを特徴とする請求項５または６記載の情報授受システム。
【発明の詳細な説明】
【０００１】
【発明の属する技術分野】
本発明は、情報接受方法および情報接受システムに関し、特にコンテンツ配信媒体を経由して刊行物の記事および広告ならびにその関連情報を有料で授受するビジネスの形態および情報授受方法および情報授受システムに関する。
【０００２】
【従来の技術】
従来、購読契約に基づいて刊行物を読者へ宅配するサービスが広範に実施されており、日々の新聞宅配がその一例である。ここで「刊行物」は、時間経過にともない内容が常時更新され、購読期間中に更新された情報が読者に供給されるものとして定義され、日刊紙、週刊誌、旬刊誌、月刊誌、季刊誌、定期刊行物、不定期刊行物の少なくとも何れかが該当する。これら刊行物は店頭や街頭での一部売りという提供形態も存在するが、一般的には所定の期間の購読という契約形態をとり、契約期間中、上記のように読者へ宅配される。
新聞に例をとると、読者は所望する新聞につき販売店と購読契約して日々の配達サービスを受け、紙面に印刷された状態で記事情報を入手する。
一方、これら刊行物には一般的に、記事以外に広告が掲載される。例えば新聞の紙面上には記事と並んで紙面広告が掲載され、よって紙面を開いて記事を読む際に、読者の注目は巧まずして紙面広告にも注がれることになる。紙面広告の効果はこの紙面上の配置に係る蓋然性に依拠している。
さらに従来、新聞の配達時に、同時に多数の折込広告がチラシの形態で新聞に随伴して配達されている。
このように、刊行物の記事および紙面広告に係る情報や、折込広告による情報は従来、紙に代表される印刷媒体を用い、主として配達という物理的手段で購読者に供給されてきた。
【０００３】
【発明が解決しようとする課題】
このような形態による刊行物の供給は長年において実施されてきたが、用紙、インク、配達の手間およびコストを要して無駄があった。また、例えば新聞におけるように印刷から読者の手許に届くまでに数時間以上を要するため記事内容が古くなり、最新の情報が得られないという欠点があった。しかも迅速な内容更新のための効果的な方途が無かった。
さらに従来の刊行物提供では購読期間の自由度が限られ、短期間購読や不定期購読に適さなかった。すなわち予め定めた比較的長期間の購読契約が必要であり、よって読者の必要とする時期のみ、所望する期間のみ購読することが困難であった。また刊行物ごとに購読契約する必要があり、不便であった。
【０００４】
また刊行物に掲載される記事のジャンルすなわち分野は多岐に亘り、読者が必要とするジャンル以外の内容も読者の意向に無関係に供給されているのが現状であり、必要とされない記事は読まれることなく古紙として処分される結果、紙資源利用に無駄が生じる上、読者にとってコスト高の原因となっていた。
また上記記事におけると同様に、紙面広告についても読者がそのジャンルを指定する自由度はなかった。この結果、必要とされない紙面広告は読まれることなく処分される結果、紙資源利用に無駄が生じる上、読者にとってコスト高となっていた。
【０００５】
さらに従来、新聞の配達時に、同時に多数の折込広告がチラシの形態で配達されているが、夫々の読者にとり必要とされる折込広告以外は読まれることなく廃棄されており、無駄である上、広告コストがかさみ、これが商品コストを上昇させるという問題があった。しかも読者はそのジャンルを指定する自由度がなく、夥しい量の折込広告中から自分の必要とするジャンルの折込広告を抽出する手間が要求され、不便であった。
【０００６】
一般的に紙面広告には、刊行物の記事の内容に適合する紙面広告がある。例えば刊行物を新聞とすると、住宅の減税に関するニュース記事に、住宅供給業者や不動産仲介業者の新聞広告（紙面広告）を対応させることができれば広告効果は高まり、また読者にとっても便利であるが、従来の刊行物では記事と紙面広告とはページ単位に対応しており、各記事ごとに任意の紙面広告を対応させるか、または各紙面広告ごとに各記事、または複数の記事を対応させることは困難であった。この結果、広告効果において問題があった。
【０００７】
折込広告についても同様に、それに適合する記事、たとえばニュース記事が存在する。たとえば或る読者が六本木界隈に不動産購入を意図して同地域の物件広告を収集し検討する場合に、物件広告に関連して「六本木地域再開発、決まる」といったニュース記事や、「六本木地域再開発で地下鉄新駅の設置場所決まる」といったニュース記事が物件広告に随伴して同時に自動的に得られると、読者にとり極めて便利である。しかしながら、従来の折込広告は関連するニュース記事と対応されていなかったため、読者にとり不便であった。
また従来、折込広告はその地域に限定された内容が多く、配布される範囲も当該地域に限られる。したがって当該地域外に居住する読者は配布対象外であり、この地域外に居住する読者が当該地域の例えば住宅物件の情報を所望していても当該地域の折込広告が入手できないといった問題があった。その一方で、当該地域内の読者には必要度とは無関係に折込広告が普く配布され、その大部分は不要として廃棄されているのが現状である。このように従来の折込広告はその広告効果において問題がある上、多大の無駄が発生していた。
【０００８】
さらに、印刷物という形態の媒体によらない情報提供としてインターネットを媒体とした有料ニュース配信サービスもあるが、記事単位での契約に対応しておらず、また読者は情報料金に加え、回線料金の負担を余儀なくされることでコスト的に不利であり、しかも既存の新聞の紙面広告や折込広告の配信に対応するサービスが提供されないという問題があった。
【０００９】
本発明は、前述した従来技術における各種の問題点を解決するためなされたもので、任意の分野の記事および広告を任意の期間のみ購読でき、しかも購読者が通信料金不要で情報を受理可能な、情報授受方法および情報授受システムを提供することを目的とする。
本発明はさらに、任意の分野の記事を入手すると、当該記事に関連する広告が自動的に添付されて入手でき、または任意の分野の広告を入手すると、当該広告に関連する記事が同時に添付されて入手可能な、情報授受方法および情報授受システムを提供することを目的とする。
【００１０】
【課題を解決するための手段】
前記従来技術の課題を解決するため、本発明の請求項１に係る情報授受方法は、無線または有線のコンテンツ配信媒体を経由して情報コンテンツを供給側の情報授受装置が視聴側の情報授受装置へ供給し、且つ前記供給側と前記視聴側の両情報授受装置を結ぶ双方向の通信媒体を介して情報授受する、コンテンツ配信システムによる情報授受方法であって、
前記情報コンテンツは少なくとも記事コンテンツまたは広告コンテンツの一方を含み、
前記供給側の情報授受装置の配信手段が、前記各情報コンテンツの各々に、少なくとも分野に応じた分野情報を含む標識を前記情報コンテンツに添付して情報フラグメントを生成し、該情報フラグメントを載せたコンテンツ配信ストリームを前記視聴側の情報授受装置へ配信する、第１過程と、
前記視聴側の情報授受装置の管理及び通信手段が、視聴者によって指定された前記分野と購読期間を少なくとも示す注文・選択情報を、前記通信媒体を経由して前記供給側の情報授受装置へ送付する、第２過程と、
前記供給側の情報授受装置の販売管理手段が、前記視聴側の情報授受装置から供給された前記注文・選択情報に基づき、該注文・選択情報で指定された内容に適う情報フラグメントの取り込みを許可する限定受信情報を生成して、前記視聴側の情報授受装置へ前記通信媒体を経由して送付する、第３過程と、
前記供給側の情報授受装置の決済手段が、前記注文・選択情報で指定された内容に基づき、前記視聴側への課金処理を実行する、第４過程と、
前記視聴側の情報授受装置の受信手段が、前記供給側の情報授受装置から供給された前記限定受信情報に基づき、前記視聴者によって指定された購読期間内において、受信した前記コンテンツ配信ストリームから前記視聴者の指定に適う情報フラグメントの取り込みを行う、第５過程と
を有することを特徴とする。
【００１３】
前記の方法によれば、情報フラグメントがコンテンツ配信に載せて送受信されるので、視聴側に伝送コスト負担が発生せず、且つ情報が迅速且つ直ちに届くことで最新の情報の供給がなされる。しかも情報の常時更新が可能になる。しかも印刷刊行物のような用紙の無駄な消費の発生がない。
また視聴側が通信媒体経由で所望する分野や期間等を自在に指定して購読できることで、契約の自由度の向上がなされる。さらに課金決済手続きが通信媒体経由で送付された注文・選択情報に基づき為されることで、決済処理と手間の簡素化がなされる。
【００１４】
本発明の請求項２に係る情報接受方法は、無線または有線のコンテンツ配信媒体を経由して情報コンテンツを供給側の情報授受装置が視聴側の情報授受装置へ供給し、且つ前記供給側と前記視聴側の両情報授受装置を結ぶ双方向の通信媒体を介して情報授受する、コンテンツ配信システムによる情報授受方法であって、
前記情報コンテンツは少なくとも記事コンテンツまたは広告コンテンツの一方を含み、
前記供給側の情報授受装置の配信手段が、前記各情報コンテンツの各々に、少なくとも分野に応じた分野情報を含む標識を前記情報コンテンツに添付して情報フラグメントを生成し、前記記事コンテンツに係る情報フラグメントと、前記広告コンテンツに係る情報フラグメントとを対応付ける記事／広告対応情報を作成し、前記記事／広告対応情報および前記情報フラグメントを載せたコンテンツ配信ストリームを前記視聴側の情報授受装置へ配信する、第１過程と、
前記視聴側の情報授受装置の管理及び通信手段が、視聴者によって指定された前記分野と購読期間を少なくとも示す注文・選択情報を、前記通信媒体を経由して前記供給側の情報授受装置へ送付する、第２過程と、
前記供給側の情報授受装置の販売管理手段が、前記視聴側の情報授受装置から供給された前記注文・選択情報に基づき、該注文・選択情報で指定された内容に適う情報フラグメントの取り込みを許可する限定受信情報を生成して、前記視聴側の情報授受装置へ前記通信媒体を経由して送付する、第３過程と、
前記供給側の情報授受装置の決済手段が、前記注文・選択情報で指定された内容に基づき、前記視聴側への課金処理を実行する、第４過程と、
前記視聴側の情報授受装置の受信手段が、前記供給側の情報授受装置から供給された前記限定受信情報に基づき、前記視聴者によって指定された購読期間内において、受信した前記コンテンツ配信ストリームから前記視聴者の指定に適う情報フラグメントおよび、前記記事／広告対応情報に基づき対応付けられた情報フラグメントの取り込みを行う、第５過程と、
を有することを特徴とする。
【００１５】
前記の方法によれば、第５過程において、受けた限定受信情報に基づき「記事コンテンツに係る情報フラグメント」、または「広告コンテンツに係る情報フラグメント」が選択され取り込まれると同時に、受けた記事／広告対応情報に基づき、予め対応付けがなされた「広告コンテンツに係る情報フラグメント」、または「記事コンテンツに係る情報フラグメント」の取り込みも実行される。これにより各記事単位、各広告単位での対応が容易になされるのみならず、記事と対応した広告の同時画面表示、または広告と対応した記事の同時画面表示を可能とする。しかも情報フラグメントのみならず記事／広告対応情報もコンテンツ配信から受信されるので、視聴側に伝送コスト負担が発生せず、また受信後の処理が容易になされる。
また記事／広告の対応の変更が必要とされる際に、第１過程における記事／広告対応情報の内容の変更のみで対処ができ、記事／広告の対応の自在な変更がなされる。
【００１６】
本発明の請求項３に係る情報接受方法は、請求項１または２記載のものであって、前記配信手段は、前記第１過程において、少なくとも前記情報フラグメントを暗号化して、該暗号化された情報フラグメントを載せたコンテンツ配信ストリームを前記視聴側の情報授受装置へ送信し、
前記販売管理手段は、前記第３過程において、前記限定受信情報に少なくとも、前記暗号化された情報フラグメントから元の情報フラグメントを復元するための復号化情報を搭載し、
前記受信手段は、前記第５過程において、前記限定受信情報に搭載されている前記復号化情報を用いて、前記取り込んだ情報フラグメントの復号化を行う、
ことを特徴とするから、暗号化／復号化により安全が確保されたコンテンツ配信の限定受信がなされる。
【００１７】
本発明の請求項４に係る情報接受方法は、請求項１または２記載のものであって、前記販売管理手段は、前記第３過程において、前記限定受信情報に少なくとも、前記視聴者側の情報授受装置が前記指定期間内において前記指定に適う情報フラグメントのみか、或いは前記指定に適う情報フラグメントおよび、これに対応付けられた情報フラグメントに限定して取り込むよう制御する制御情報を搭載させ、
前記受信手段は、前記第５過程において、受信した前記制御情報に基づいて、前記指定期間内において前記コンテンツ配信ストリームから前記指定に適う前記情報フラグメントのみか、或いは前記指定に適う情報フラグメントおよび、これに対応付けられた情報フラグメントのみを取り込むことを特徴とするから、暗号化／復号化によらない簡素化された仕組みによってコンテンツ配信の限定受信、とりわけ記事およびそれに対応させた広告のみの受信がなされる。
【００１８】
本発明の請求項５に係る情報接受システムは、無線または有線のコンテンツ配信媒体を経由して情報コンテンツを、具備する供給側の情報授受装置が、具備する視聴側の情報授受装置へ供給し、且つ前記供給側と前記視聴側の両情報授受装置を結ぶ双方向の通信媒体を具備する情報授受システムであって、
前記情報コンテンツは少なくとも記事コンテンツまたは広告コンテンツの一方を含み、
前記供給側の情報授受装置は、
前記各情報コンテンツの各々に、少なくとも分野に応じた分野情報を含む標識を前記情報コンテンツに添付して情報フラグメントを生成し、該情報フラグメントを載せたコンテンツ配信ストリームを前記視聴側の情報授受装置へ配信する配信手段と、
前記視聴側の情報授受装置から送信された、購読条件を指定した注文情報を前記通信媒体を経由して受信し、且つ、前記注文情報に適合する前記情報フラグメントの取り込みを許可する限定受信情報を生成して、前記通信媒体を経由して前記視聴側の情報授受装置へ送信する販売管理手段と、
前記購読条件に基づき、前記視聴側への課金処理を実行する決済手段と、
を備え、
前記視聴側の情報授受装置は、
前記購読条件として視聴者によって指定された前記分野と購読期間を少なくとも示す前記注文情報を、前記通信媒体を経由して前記供給側の情報授受装置へ送信し、且つ、前記限定受信情報を前記通信媒体を経由して前記供給側の情報授受装置から受信する管理および通信手段と、
受信した前記限定受信情報に基づき、前記視聴者によって指定された購読期間内において、前記コンテンツ配信ストリームから前記視聴者の指定に適う情報フラグメントの取り込みを行う受信手段と、
を有することを特徴とする。
【００１９】
前記の構成によれば、情報フラグメントがコンテンツ配信ストリームとして送受信されるので、視聴側に伝送コスト負担が発生せず、且つ情報が迅速且つ直ちに届くことで最新の情報の供給がなされる。さらに印刷刊行物のような用紙の無駄な消費の発生がない。また供給側で情報の常時更新が可能になる。
また視聴側が通信媒体経由で所望する少なくとも分野や期間等を自在に指定して購読できることで、契約の自由度の向上がなされる。さらに課金決済手続きが通信媒体経由で送付された購読条件に基づき為されることで、決済処理と手間の簡素化がなされる。
【００２０】
本発明の請求項６に係る情報接受システムは、無線または有線のコンテンツ配信媒体を経由して情報コンテンツを、具備する供給側の情報授受装置が、具備する視聴側の情報授受装置へ供給し、且つ前記供給側と前記視聴側の両情報授受装置を結ぶ双方向の通信媒体を具備する情報授受システムであって、
前記情報コンテンツは少なくとも記事コンテンツまたは広告コンテンツの一方を含み、
前記供給側の情報授受装置は、
前記各情報コンテンツの各々に、少なくとも分野に応じた分野情報を含む標識を前記情報コンテンツに添付して情報フラグメントを生成し、前記記事コンテンツに係る情報フラグメントと、前記広告コンテンツに係る情報フラグメントとを対応付ける記事／広告対応情報を作成し、前記記事／広告対応情報および前記情報フラグメントを載せたコンテンツ配信ストリームを前記視聴側の情報授受装置へ配信する配信手段と、
前記視聴側の情報授受装置から送信された、購読条件を指定した注文情報を前記通信媒体を経由して受信し、且つ、前記注文情報に適合する前記情報フラグメントの取り込みを許可する限定受信情報を生成して、前記通信媒体を経由して前記視聴側の情報授受装置へ送信する販売管理手段と、
前記購読条件に基づき、前記視聴側への課金処理を実行する決済手段と、
を備え、
前記視聴側の情報授受装置は、
前記購読条件として視聴者によって指定された前記分野と購読期間を少なくとも示す前記注文情報を、前記通信媒体を経由して前記供給側の情報授受装置へ送信し、且つ、前記限定受信情報を前記通信媒体を経由して前記供給側の情報授受装置から受信する管理および通信手段と、
前記情報フラグメントおよび前記記事／広告対応情報を載せたコンテンツ配信ストリームを受信して、前記限定受信情報に基づき、前記視聴者によって指定された購読期間内において、受信した前記コンテンツ配信ストリームから前記視聴者の指定に適う情報フラグメントおよび、前記記事／広告対応情報に基づき対応付けられた情報フラグメントの取り込みを行う受信手段と
を有することを特徴とする。
【００２１】
前記の構成によれば、視聴側の情報授受装置において、コンテンツ配信ストリームから記事／広告対応情報が受信され、また通信媒体を経由して限定受信情報が受信される。ついで限定受信情報に適う「記事の情報フラグメント」、または「広告の情報フラグメント」がコンテンツ配信ストリームから取り込まれるが、同時に記事／広告対応情報によって予め対応付けがなされた「広告の情報フラグメント」、または「記事の情報フラグメント」の取り込みも実行される。これにより記事及びそれに対応した広告の同時画面表示、または広告及びそれに対応した記事の同時画面表示を可能とする。しかも情報フラグメントのみならず記事／広告対応情報もコンテンツ配信により伝送され、視聴側に伝送コスト負担の発生がない。
また記事／広告の対応の変更が必要となった際にも供給側における記事／広告対応情報の内容の変更のみで対処ができ、記事／広告の対応の自在な変更がなされる。
【００２２】
本発明の請求項７に係る情報接受システムは、請求項５または６記載のものであって、前記配信手段は、少なくとも前記情報フラグメントを暗号化して送信し、前記販売管理手段は、少なくとも前記暗号化された情報フラグメントから元の情報フラグメントを復元するための復号化情報を前記限定受信情報に搭載し、前記受信手段は、取り込んだ前記暗号化された情報フラグメントにつき、受信した前記復号化情報に基づいて元の情報フラグメントに復号させることを特徴とするから、暗号化／復号化により安全が確保されたコンテンツ配信の限定受信がなされる。
【００２３】
本発明の請求項８に係る情報接受システムは、請求項５または６記載のものであって、前記販売管理手段は、前記受信手段が前記購読期間内において前記指定内容に適う情報フラグメントのみか、或いは前記指定内容に適う情報フラグメントおよび、これに対応付けられた情報フラグメントのみを取り込むよう制御する制御情報を前記限定受信情報に搭載し、
前記受信手段は受信した前記制御情報に基づいて、前記購読期間内において前記コンテンツ配信ストリームから前記指定内容に適う前記情報フラグメントのみか、或いは前記指定内容に適う情報フラグメントおよび、これに対応付けられた情報フラグメントのみを取り込むことを特徴とするから、暗号化／復号化によらない簡素化された装置構成でコンテンツ配信の限定受信、とりわけ記事およびそれに対応させた広告のみの限定受信が具現される。
【００２４】
【発明の実施の形態】
以下、この発明の好適な実施形態を添付図を参照して詳細に説明する。なお以下に述べる実施形態は本発明の本質的な構成と作用を示すための好適な例の一部であり、したがって技術構成上好ましい種々の限定が付されている場合があるが、この発明の範囲は以下の説明において特にこの発明を限定する旨の記載がない限り、これらの形態に限られるものではない。
また以下の各実施形態においては、コンテンツ配信媒体をその代表的な一例であるデジタル放送媒体に例をとり説明するが、本発明が適用されるコンテンツ配信媒体はデジタル放送媒体に限定されず、デジタルコンテンツを配信する広範な媒体に対応することは言うまでもない。
さらに、以下の各実施形態においてはコンテンツ配信をその代表的な一例であるデータ放送に例をとり説明するが、本発明が適用されるコンテンツ配信はもとよりデータ放送に限定されず、デジタルコンテンツを配信する広範な手段に対応することは論をまたない。
【００２５】
図１は、本発明に係る情報授受方法の第１の実施形態を適用した情報授受システムの第１の実施形態の概要構成図である。図２は、図１に示された供給側の概要ブロック図であり、図３は図１に示された視聴側の概要ブロック図である。
以下、図１〜図３に基づき構成の概要を説明する。
【００２６】
情報授受システムＳｙｓ１は、供給側Ｓｐｙ１、視聴側Ｖｗ１、およびこれらの間の情報授受を仲介するデジタル放送媒体Ｂｃｍａと通信媒体Ｎｗを備える。
供給側Ｓｐｙ１は、有料情報コンテンツ（新聞記事、有料広告など）を情報フラグメントに編成し、複数の情報フラグメントから成るデータ放送ストリームとして、具備するデジタル放送送信機能によりデジタル放送媒体Ｂｃｍａ経由で放送する。さらに通信媒体Ｎｗを介した双方向通信機能により視聴側Ｖｗ１から注文・選択情報Ｉｃｒｔ１を受けて有料情報提供に係る契約を成立させ、有料提供の対象となる情報フラグメントのみをデータ放送ストリームから取り込むための限定受信情報Ｉｒｃｖ１を通信媒体Ｎｗを介し視聴側Ｖｗ１に送付し、また契約に基づく有料情報提供の対価として代金を視聴側Ｖｗ１から回収する。
【００２７】
視聴側Ｖｗ１は、所望の購読条件を設定した注文・選択情報Ｉｃｒｔ１を作成して通信媒体Ｎｗを介し供給側Ｓｐｙ１へ送付することにより、有料情報提供に係る契約を交わし、ついで購読条件が反映された限定受信情報Ｉｒｃｖ１を通信媒体Ｎｗを介して受けると、この限定受信情報Ｉｒｃｖ１の内容に基づき、取込が許可された情報フラグメントのみをデータ放送ストリームから取込む。取込んだ情報フラグメントは画面表示させ、或いは記録保存し、またプリントアウトさせることができる。
【００２８】
供給側Ｓｐｙ１には、上記の機能を具現するものとして供給側の情報授受装置が備えられる。供給側の情報授受装置はコンピュータシステムとして構成され、メインフレームコンピュータ、ワークステーション、サーバ機及びパソコンの組合せ等のコンピュータシステムの適用により具現される。これら各システムや装置はイントラネットやＬＡＮによって接続された複数のコンピュータ機器で構成されるか、或いは上記中の複数のシステムや装置が物理的に同一のコンピュータ機器内に構築され、全体としてマルチプラットフォーム対応で構成されている。従って供給側の情報授受装置は何れも不図示のプロセッサ（ＣＰＵ）、ＲＡＭ、ＲＯＭ等のメモリ、入力／出力ＩＦ（インタフェース）、バス等の構成部分を備えるが、これらは一般的なコンピュータシステムの構成部分であり、冗長と煩雑を排除するべく説明は省略される。
【００２９】
視聴側Ｖｗ１には、上記の機能を具現するものとして視聴側の情報授受装置が備えられる。視聴側の情報授受装置はデジタル放送受信機能と双方向通信機能を具備した受信機や、ＳＴＢ（セットトップボックス）等の形態で具現される。これらはデジタル機器によるコンピュータ機能として具現されるが、その構成部分はコンピュータシステムとして一般的なものであり、よって冗長と煩雑を排除するべく説明は省略される。
視聴側の情報授受装置の一例としてＢＳ／１１０度ＣＳデジタル放送双方向受信機は、放送波の受信部と、通信回線に接続可能な双方向通信部を内蔵する。放送波で伝達されるデータはＭＰＥＧ２−ＴＳ準拠で準備され、また双方向通信プロトコルは例えばインターネットで一般的に使用されているＴＣＰ／ＩＰ準拠であり、そのコンテンツ記述言語はＨＴＭＬ、ＸＭＬはじめ、ＢＳデジタル放送用に策定されたＢＭＬを基礎にした言語等で記述される。
【００３０】
デジタル放送媒体Ｂｃｍａには、放送衛星（ＢＳ）デジタル放送波または通信衛星（ＣＳ）デジタル放送波または地上波デジタル放送波および、ＣＡＴＶによる双方向デジタル放送経路が含まれる。
また通信媒体Ｎｗには、双方向通信回線である公衆回線または専用電話回線によるポイント・ツー・ポイントによる２点間方式あるいは直結方式、さらにインターネット機構がその例であるパケット・ネットワーク通信が含まれる。
【００３１】
衛星デジタル放送や地上波デジタル放送では、テレビ番組コンテンツを載せた番組放送ストリームおよび、データ放送コンテンツを載せたデータ放送ストリームの両方により構成されるオンエア・ストリームＯｓｔｒが、片方向（供給側Ｓｐｙ１から視聴側Ｖｗ１へ向かう下り方向）の伝達手段であるデジタル放送媒体Ｂｃｍａに載せて供給側Ｓｐｙ１から送信される。とりわけローカル放送に適する地上波デジタル放送でＯＦＤＭ（直交周波数分割多重）規格準拠の場合などは同一周波数帯域に複数のオンエア・ストリームを搭載可能である。さらに供給側Ｓｐｙ１と視聴側Ｖｗ１間の双方向アクセスネットワークとして公衆回線等の地上通信回線が適用される。またデジタルＣＡＴＶ放送はテレビ番組ストリームとデータ放送ストリームの伝送および供給側Ｓｐｙ１と視聴側Ｖｗ１間の双方向通信が、広帯域有線回線を経由して送受信される構成として具現されている。
このように本発明に係る情報授受システムＳｙｓ１は、片方向である放送経路（デジタル放送媒体Ｂｃｍａ）と双方向通信経路（通信媒体Ｎｗ）の両方を用いるハイブリッド型の情報授受システムとして提供される。
【００３２】
また衛星デジタル放送、地上波デジタル放送、デジタルＣＡＴＶ放送を問わずデータ放送専用局の場合は、データ放送コンテンツを載せたデータ放送ストリームが片方向で送受信され、さらにこれに加えて放送局と視聴者間の双方向通信パスが準備される。
【００３３】
情報フラグメントは、刊行物を構成する各々の記事や紙面広告、折込広告から成る、有料情報コンテンツの単位である。たとえば刊行物が新聞の場合、新聞紙面を構成する各記事がこれに該当する。なお記載を簡素化するために、以下で「情報フラグメント」を「フラグメント」と略記することがある。
情報フラグメントには、
１．記事フラグメントｆｇｍｎ（本文記事。写真や図表を含む）
２．紙面掲載広告フラグメントｆｇｍａ（紙面広告フラグメントと略記する）
３．折込広告フラグメントｆｇｍｄ
がある。各情報フラグメントｆｇｍｎ、ｆｇｍａ、ｆｇｍｄはコンテンツの本体部と、其の先端に添付されたヘッダー部から構成され、ヘッダー部には当該情報フラグメントの発行元（新聞名や雑誌名がコード化したもの）、種別や分野（ジャンル）、識別番号などの情報が記載されている。視聴側Ｖｗ１は情報フラグメント単位で購読契約でき、課金される。これら複数の情報フラグメントはオンエア過程においてパケットに編成され、複数のパケットから成るデータ放送ストリームがテレビ番組放送ストリームと共にオンエア・ストリームＯｓｔｒに纏められて放送される。
また記事フラグメントｆｇｍｎは有料で提供され、紙面広告フラグメントｆｇｍａと折込広告フラグメントｆｇｍｄはその内容に応じて無料で視聴側Ｖｗ１へ配信されるか、或いは有料広告として提供される。
【００３４】
注文・選択情報Ｉｃｒｔ１は、購読を所望する発行元（新聞や雑誌）および所望の購読期間を指定するデータｉｔｃ１、記事や広告の所望の分野（ジャンル）を選択指定するデータｉｔｃ２、金融カードによる料金決済などの決済方法を指定するデータｉｔｃ３（例えばカード番号）から構成され、これにより視聴側Ｖｗ１が所望する購読条件を設定の上、供給側Ｓｐｙ１へ通信媒体Ｎｗを経て伝達できる。
限定受信情報Ｉｒｃｖ１は、伝達された注文・選択情報Ｉｃｒｔ１に基づき供給側Ｓｐｙ１と視聴側Ｖｗ１間で購読契約が成立した時に作成されるもので、発行元および期間を限定する項目ｉｔｍ１、記事ジャンルを限定する項目ｉｔｍ２、紙面広告ジャンルを限定する項目ｉｔｍ３、折込広告ジャンルを限定する項目ｉｔｍ４、限定受信制御信号ｉｔｍ５から構成され、これにより視聴側Ｖｗ１が取込可能な情報フラグメントと、それらの取込みを可能にする信号を、通信媒体Ｎｗを経て視聴側Ｖｗ１へ付与できる。
限定受信制御信号ｉｔｍ５は、情報フラグメントが暗号化されて放送されているシステムにおいて使用される復号キーであるか、或いは情報フラグメントに暗号化が施されていないシステムにおいて使用される、受信回路等の起動／停止を司る制御信号となる。復号キーは記事、紙面広告、折込広告の夫々につき、且つジャンル毎に準備される。
なお前者の復号キーによる構成については図９および図１０に基づき、また後者の制御信号を用いた構成については図１２および図１３に基づき、夫々後述される。
【００３５】
図２に示されるように、供給側Ｓｐｙ１は編成モジュールＡｓｍ１、販売管理モジュールＣｓｍ１、放送モジュールＢｄｍ１、決済モジュールＡｔｍ、広告提供モジュールＳｐｍを備える。編成モジュールＡｓｍ１と販売管理モジュールＣｓｍ１は有料情報提供ビジネスの主催者Ｍｓ１を構成し、主催者Ｍｓ１は本実施形態では新聞社または出版社がこれに該当する。広告提供モジュールＳｐｍは広告主いわゆるスポンサー会社に該当し、決済モジュールＡｔｍは金融カード会社に該当し、放送モジュールＢｄｍ１は放送局に該当する。
【００３６】
編成モジュールＡｓｍ１は主催者Ｍｓ１が自前の取材によって作成した記事（たとえば当該新聞社の作成したニュース記事）の本体部分に必要に応じて暗号キーによる暗号化を施し、これにヘッダを付けて記事フラグメントｆｇｍｎを編成し、また広告提供モジュールＳｐｍから広告データａ１または／およびｄ１の提供を受けて暗号化を施し、ヘッダを付けてそれぞれ紙面広告フラグメントｆｇｍａまたは／および折込広告フラグメントｆｇｍｄを編成し、これらヘッダ付きの情報フラグメントから成るデータストリームＤｓｔを編成して放送モジュールＢｄｍ１へ送付する。
放送モジュールＢｄｍ１はこれをデータ放送ストリームとし、さらにテレビ番組をコンテンツとする番組放送ストリームとともにスクランブルを施してオンエア・ストリームＯｓｔｒを形成させ、デジタル放送媒体Ｂｃｍａに載せてデジタル放送する。このようにしてデータ放送ストリームには当該新聞社を発行元とする諸種の分野の情報フラグメントが遍く搭載され、放送される。このようにデータ放送ストリームには全てのフラグメントが搭載されており、不特定多数である各視聴側Ｖｗ１は、受信したデータ放送ストリームから各々の購読契約に適うフラグメントのみを選択して取り込むことになる。
【００３７】
一方、放送モジュールＢｄｍ１（放送局）は視聴側（不図示）から通信媒体Ｎｗ経由で送られた注文・選択情報Ｉｃｒｔ１を一旦受け、販売管理モジュールＣｓｍ１へ転送するが、ここでデータサーバＤｓｖへログデータＬоｇとして記録が傍受的に為される。放送局がログデータＬоｇを記録するのは、主催者Ｍｓ１と視聴側Ｖｗ１間で成立する購読契約を把握・確認するためであり、これは成立した契約購読額に応じて放送局が主催者Ｍｓ１から受け取る報酬額算定の根拠として使用される。
販売管理モジュールＣｓｍ１は、転送された上記の注文・選択情報Ｉｃｒｔ１に基づき購読契約を成立させると、限定受信情報Ｉｒｃｖ１を作成して放送モジュールＢｄｍ１を介し、通信媒体Ｎｗ経由で視聴側Ｖｗ１へ送付する。したがって視聴側Ｖｗ１は限定受信情報Ｉｒｃｖ１が到着したことにより購読契約の成立を確認できる。
さらに販売管理モジュールＣｓｍ１は課金処理のため、視聴側Ｖｗ１のカード番号や口座番号を記載した注文データＯｄｒを決済モジュールＡｔｍへ送付し、決済モジュールＡｔｍから決済データＳｔを受理する。
決済モジュールＡｔｍは受けた注文データＯｄｒに基づき視聴側Ｖｗ１の口座から契約購読額を引き落とす等により決済し、入金処理が完了すると決済データＳｔを販売管理モジュールＣｓｍ１へ発行する。
【００３８】
図３に示されるように、視聴側Ｖｗ１はデジタル放送媒体Ｂｃｍａの受信機能を備えるデジタル放送受信モジュールＤｒｍ１、表示・印刷モジュールＤｙｍ１、入力モジュールＩｐｍ１、通信媒体Ｎｗと双方向通信機能を備える管理及び通信モジュールＣｃｍ１を具備する。
デジタル放送受信モジュールＤｒｍ１は、例えばデジタル放送媒体Ｂｃｍａが無線波であればアンテナ回路等を備えてオンエア・ストリームＯｓｔｒを受信するとデ・スクランブルを施し、管理及び通信モジュールＣｃｍ１から付与される限定受信指示にしたがいデータ放送ストリームから適合する情報フラグメントを取込み、復号化ののち具備するホームサーバへ記録保存するか、表示・印刷モジュールＤｙｍ１へ送付する。情報フラグメントの送付を受けた表示・印刷モジュールＤｙｍ１は、画面表示フォーマットで画面イメージを構成させ具備するディスプレイ装置に画面表示させるか、具備するプリンタ等により印刷する。
上記で表示・印刷モジュールＤｙｍ１は入力モジュールＩｐｍ１と信号授受し、入力モジュールＩｐｍ１から付与される制御信号に基づき表示画面構成を変化させ、またリアルタイム表示／ホームサーバからの再生表示を切替え、さらに画面表示／印刷の切替などを実行する。また表示・印刷モジュールＤｙｍ１は管理及び通信モジュールＣｃｍ１から付与されたデータに基づき限定受信に係る情報などを画面表示／印刷する。
【００３９】
入力モジュールＩｐｍ１は、利用者が操作可能な例えばリモコンを具備し、表示画面構成の指示、表示画面上での項目選択、画面表示／印刷の指示をはじめ、購読契約に係る注文や購読条件の指示を管理及び通信モジュールＣｃｍ１へ伝達する。管理及び通信モジュールＣｃｍ１は伝達された上記購読契約に係る注文や購読条件の指示に基づき、注文・選択情報Ｉｃｒｔ１を作成して通信媒体Ｎｗを介し供給側Ｓｐｙ１へ伝達し、また供給側Ｓｐｙ１から通信媒体Ｎｗを介して限定受信情報Ｉｒｃｖ１を受理し、限定受信指示をデジタル放送受信モジュールＤｒｍ１へ付与する。さらに画面上での選択と確認を可能にする情報を表示・印刷モジュールＤｙｍ１へ付与する。
【００４０】
上記の動作を纏めると、供給側Ｓｐｙ１で、コンテンツ・データに暗号化を施し、これにヘッダを添付し、このように形成された複数のヘッダ付き暗号化フラグメントをデータ放送ストリームとして放送する。視聴側Ｖｗ１で注文・選択情報Ｉｃｒｔ１を作成して通信媒体Ｎｗ経由で送付すると、供給側Ｓｐｙ１で、購読契約して限定受信情報Ｉｒｃｖ１を通信媒体Ｎｗ経由で視聴側Ｖｗ１へ送付する。視聴側Ｖｗ１はデータ放送ストリームとして受信したのヘッダ付き暗号化フラグメントのヘッダの情報を読み、限定受信情報Ｉｒｃｖ１に基づき契約に該当するもののみにつき、復号キーで復元してフラグメントを取込み、画面表示或いは印刷する。このようにして記事や広告が有料で視聴者へ提供される。
【００４１】
図４乃至図６は、本発明に係る情報授受方法の一実施形態を示す。
図４は、図１に示された情報授受システムＳｙｓ１の情報の流れの説明図である。図５は、情報授受システムＳｙｓ１の動作フロー図である。また図６は、視聴側Ｖｗ１の表示画面の例である。本実施形態では供給側Ｓｐｙ１の主催者Ｍｓ１を新聞社が、決済処理モジュールＡｔｍを金融カード会社が、放送モジュールＢｄｍ１を放送局が、それぞれ担当する。以下、図４および図５の両図を対照的に参照し、さらに必要に応じて図６および前記図１の該当部分を適宜参照しつつ説明する。
【００４２】
主催者Ｍｓ１はステップ５０１で放送モジュールＢｄｍ１（放送局）と契約し、放送モジュールＢｄｍ１へ広告費（電波使用料）を支払い、放送モジュールＢｄｍ１はこれを受け取る（ステップ５０２）。ついで主催者Ｍｓ１は各情報コンテンツ（新聞記事、紙面広告、折込広告）の各々に、少なくとも分野に応じた分野情報を含む標識（ヘッダ）を添付して情報フラグメントに編成し、主催者側のデータサーバ（図４参照）をバッファ的に使用して情報フラグメントの列を放送モジュールＢｄｍ１へ送付すると（ステップ５０３）、放送モジュールＢｄｍ１は情報フラグメントを局側のデータサーバ（図４参照）に記録保存し、さらに情報フラグメントを載せたデータ放送ストリームを編成して視聴側Ｖｗ１の情報授受装置へ放送する（ステップ５０４）。上記と前後して広告料が広告提供モジュールＳｐｍ（広告主）から主催者Ｍｓ１へ支払われる。
【００４３】
ついで視聴側Ｖｗ１の情報授受装置（図４では視聴者の家庭の据置端末）が利用者に、購読を所望する新聞名、分野（ジャンル）と契約購読期間を選択させる（ステップ５０５）。これは図６に示されるような画面上で利用者によって選択操作され、指定する注文・選択情報が作成される。
端末画面に、登録フレーム６０１、契約・選択フレーム６０２、終了フレーム６０３が表示される。ここで先ず登録フレーム６０１を選択すると、画面６１０が表示される。画面６１０上で名前、住所、電話番号、カードの種類および番号、有効期限などを入力すると登録がなされる。登録完了後に契約・選択フレーム６０２を選択すると、画面６２０が表示される。画面６２０上で所望する購読条件として新聞名、ジャンル、契約期間、紙面広告や折込広告の選択、印刷指定などを入力する。また画面６２０上にはロード済みデータのリストや、データ検索、消去、購入履歴などが表示される。契約・選択完了後に利用者が終了フレーム６０３を選択すると、据置端末は上記のように入力されたデータに基づき注文・選択情報Ｉｃｒｔ１を作成し、通信媒体Ｎｗを経由して放送モジュールＢｄｍ１へ送付する（ステップ５０６）。
【００４４】
放送モジュールＢｄｍ１は視聴側Ｖｗ１から注文・選択情報Ｉｃｒｔ１が送付されると、一旦これを受信して局側のデータサーバにロギングするとともに直ちに主催者Ｍｓ１へ中継する（ステップ５０７）。主催者Ｍｓ１は中継された注文・選択情報Ｉｃｒｔ１を受けると、注文データを決済処理モジュールＡｔｍへ送付し（ステップ５０８）、決済処理モジュールＡｔｍが審査して課金処理を実行するとともに結果を主催者Ｍｓ１へ伝えると（ステップ５０９）、主催者Ｍｓ１は注文・選択情報Ｉｃｒｔ１で指定された内容に適う情報フラグメントの取込みを許可する限定受信情報Ｉｒｃｖ１を編成し、放送モジュールＢｄｍ１の中継で視聴側Ｖｗ１へ通信媒体Ｎｗを経由して送付する（ステップ５１０）。
ついで視聴側Ｖｗ１は、受けた限定受信情報Ｉｒｃｖ１に基づき指定期間内において、受信したデータ放送ストリームから指定に適う情報フラグメントの取込みを行う（ステップ５１１）。受けた限定受信情報Ｉｒｃｖ１と、取り込んだコンテンツは画面表示されるか、プリンタで印刷されるか、またはホームサーバに記録保存される。
【００４５】
さらに主催者Ｍｓ１はステップ５１２で放送モジュールＢｄｍ１に、成立した契約額の所定の割合の報酬（キックバック）を支払い、放送モジュールＢｄｍ１がこれを受理する（ステップ５１３）。ここで放送モジュールＢｄｍ１は局側のデータサーバにロギングされている取引情報に基づき、報酬額の正誤をチェックすることができる。
上記のように本発明に係る情報授受方法を適用することにより、データ放送とネットワークを用いた刊行物の有料提供ビジネスが具現化される。
【００４６】
前記にあって主催者Ｍｓ１は各情報コンテンツ（新聞記事、紙面広告、折込広告）の各々に、分野（ジャンル）に応じた分野情報を含むヘッダを添付して情報フラグメントを編成するが、その際に参照されるジャンル・リストＬｊの例を図７に示す。
同図に示されるように、記事ジャンルＪｎｘｘは国内政治／国内経済／株式債券相場／国際政治（サブジャンルはＵＳ、ＥＵなど）／国際経済／科学技術／家庭／一般記事／地方記事／社説／スポーツなどであり、紙面広告ジャンルＪａｘｘは出版物書籍／不動産／旅行／家電情報機器／衣料／自動車／食品／商店・店舗などである。一方、折込広告ジャンルＪｄｘｘは量販店／家電／家具／衣料／不動産／自動車／食品／商店・店舗旅行などであり、対象が比較的狭い地域に限定された広告内容となる。
【００４７】
ジャンル・リストＬｊは視聴側Ｖｗ１にも提供される。提供方法は２つあり、その第１はデータ放送ストリームに載せて放送により提供され、視聴側Ｖｗ１はデータ放送を受信してジャンル・リストＬｊを取り込む。その第２は通信媒体Ｎｗを経由してデータ送信によりジャンル・リストＬｊを入手する。入手したジャンル・リストＬｊは注文・選択操作時に利用者によって参照される。
【００４８】
図８は、図１に示された供給側の別例の概要ブロック図である。ここで図示される供給側Ｓｐｙ１’の構成は、主催者Ｍｓ１’と前掲の視聴側Ｖｗ１の組合せであり、主催者Ｍｓ１’と視聴側Ｖｗ１が通信媒体Ｎｗを介して直接交信する構成とされる。したがって前記図１の構成と異なり放送モジュールＢｄｍ１’を中継しない。主催者Ｍｓ１’は編成モジュールＡｓｍ１’と販売管理モジュールＣｓｍ１’を擁し、販売管理モジュールＣｓｍ１’は通信媒体Ｎｗを介して視聴側から注文・選択情報Ｉｃｒｔ１を直接受け、限定受信情報Ｉｒｃｖ１を視聴側へ直接送付する。但し販売管理モジュールＣｓｍ１’は成立した契約情報Ｉｃｒｔ１’を放送モジュールＢｄｍ１’へ報告し、放送モジュールＢｄｍ１’のロギング手段Ｌｇｍが契約情報Ｉｃｒｔ１’をデータサーバＤｓｖへログする。これにより放送モジュールＢｄｍ１’は前掲の構成同様に報酬額の正誤を確認することができる。
【００４９】
図９は、図８に示された供給側Ｓｐｙ１’の詳細ブロック構成図である。図中の編成モジュールＡｓｍ１’は、
（１）記事データｎ１を作成してジャンル設定手段８０１と暗号化手段８０２へ供給する記事作成手段８００、
（２）記録保存されているジャンル・リストＬｊをヘッダ付加手段８０６へ供給し、さらに、記事作成手段８００から入力された記事データｎ１と、広告提供モジュールＳｐｍから入力された紙面広告データａ１または／および折込広告データｄ１それぞれのジャンルを設定してヘッダ付加手段８０６へ供給するジャンル設定手段８０１、
（３）データサーバ８０３に格納された暗号キー・リスト８０４を用い、入力された記事データｎ１と紙面広告データａ１または／および折込広告データｄ１に暗号化を施して暗号化フラグメントとし、これをヘッダ付加手段８０６へ供給する暗号化手段８０２、
（４）日時データを出力する日時管理手段８０５、
（５）ジャンル設定手段８０１から得たジャンルデータと暗号化手段８０２から得た暗号化フラグメントおよび日時管理手段８０５から得た日時データに基づき暗号化フラグメントにヘッダを付加して記事フラグメントｆｇｍｎ、紙面広告フラグメントｆｇｍａ、折込広告フラグメントｆｇｍｄとし、ストリーム編成手段８０７へ供給し、且つ、ジャンル・リストＬｊにヘッダを付加したフラグメント（不図示）をストリーム編成手段８０７へ供給するヘッダ付加手段８０６、
（６）ヘッダ付加手段８０６からジャンル・リストＬｊのフラグメントおよびヘッダ付きフラグメント（ｆｇｍｎ、ｆｇｍａ、ｆｇｍｄ）の供給を受けてデータ・ストリームＤｓｔを編成し放送モジュールＢｄｍ１’へ送付するストリーム編成手段８０７、
を備えて構成される。なお紙面広告データａ１と折込広告データｄ１は広告提供モジュールＳｐｍから提供される。
【００５０】
販売管理モジュールＣｓｍ１’は、
（７）通信媒体Ｎｗとの双方向通信インタフェースとして機能する通信制御ユニット８１０、
（８）通信媒体Ｎｗから受信した信号に復号化を施す交信復号化手段８１１、
（９）復号された信号を受付けて注文・選択情報Ｉｃｒｔ１を取り出し、データサーバ８０３のカスタマ・ファイル８１４へ格納する受付処理手段８１２、
（１０）カスタマ・ファイル８１４から視聴側Ｖｗ１の決済指定データｉｔｃ３（図１参照）を取りだして決済モジュールＡｔｍへ送付するとともに審査と課金決済を依頼し、決済モジュールＡｔｍから審査結果や決済済み報告を受け、成立した契約をデータサーバ８０３のログファイル８１６へ記録保存するとともに契約情報Ｉｃｒｔ’を放送モジュールＢｄｍ１’へ送付し、さらにデータサーバ８０３のカスタマ・ファイル８１４から視聴側Ｖｗ１の購読条件を取りだし、また当該購読条件に基づきデータサーバ８０３の復号キー・リスト８１５から該当する復号キーを取り出して、これらを限定受信情報編成手段８１８へ送付する管理手段８１７、
（１１）管理手段８１７から受けた、契約期間／ジャンル／復号キー等が載ったデータ８１７ａに基づき限定受信情報Ｉｒｃｖ１を編成し交信暗号化手段８１９へ送付する限定受信情報編成手段８１８、
（１２）送付された限定受信情報Ｉｒｃｖ１を暗号化して通信制御ユニット８１０経由で通信媒体Ｎｗへ送出する交信暗号化手段８１９、
を備えて構成される。
【００５１】
また管理手段８１７は上記に加え、広告提供モジュールＳｐｍから広告料ａｆを受け取り、決済モジュールＡｔｍへ課金処理費ｖｆを支払い、また放送モジュールＢｄｍ１’へ広告費（電波使用料）ｂｆを支払う。また広告費ｂｆに加えて、不図示であるが契約成立時の報酬金が管理手段８１７から放送モジュールＢｄｍ１’へ支払われることもある。
なお管理手段８１７と決済モジュールＡｔｍは専用回線８２０で接続されているが、他の接続手段に依っても差し支えない。
【００５２】
編成モジュールＡｓｍ１’および販売管理モジュールＣｓｍ１’を構成する上記の各手段はコンピュータプログラムとして準備される。例えば交信暗号化手段８１９と交信復号化手段８１１はコンピュータプログラムであり、ＲＡＳ等の非対称な暗号システムに基づく公開鍵暗号方式（暗号化と復号化で夫々鍵情報が異なる）またはＤＥＳ、ＩＤＥＡ等の秘密鍵暗号方式による伝達データの守秘が実行される。
【００５３】
図１０は、図３に示された視聴側Ｖｗ１の詳細ブロック構成図である。視聴側Ｖｗ１は情報授受装置として構成され、
（１）デジタル放送による少なくともデータ放送を受信する受信回路９０１、
（２）受信回路９０１からデータ放送ストリームを受け、抽出制御信号９２３ｂに基づき選別抽出する該当フラグメント抽出手段９０２、
（３）抽出された該当フラグメントを復号キー９２３ｃにより復元する復号手段９０３、
（４）復元されたフラグメントを記録保存するホームサーバＨｓｖ、
（５）復号手段９０３から復元されたフラグメントを受け、画面形成規準９０５の提供する画面形成規準にしたがい画面形成してディスプレイ装置Ｄｐｙへ画面表示させる画面形成手段９０４、
（６）フラッシュメモリ等の不揮発性記憶手段を備えて、入力処理手段９１２から入力される指定９１２ｂに基づき画面形成規準を形成し、画面形成手段９０４からの要求に応じて提供する画面形成規準９０５、
を備える。受信回路９０１、該当フラグメント抽出手段９０２、復号手段９０３が図３に示されたデジタル放送受信モジュールＤｒｍ１を形成する。また画面形成手段９０４、画面形成規準９０５、ディスプレイ装置Ｄｐｙが表示・印刷モジュールＤｙｍ１を形成する。
【００５４】
さらに、
（７）利用者によって操作されるリモコン９１１、
（８）リモコン９１１から入力された内容と画面表示内容を対照させる信号９１２ａを画面形成手段９０４間で授受し、入力指定９１２ｃとして出力し、且つリモコン９１１から入力された画面形成規準の指定９１２ｂを画面形成規準９０５へ送付する入力処理手段９１２、
（９）入力指定９１２ｃを受けて注文・選択データ９１３ａを編成し、ホームサーバＨｓｖへ記録保存するとともに注文・選択情報Ｉｃｒｔ１として出力する注文・選択情報編成手段９１３、
（１０）注文・選択情報編成手段９１３から注文・選択情報Ｉｃｒｔ１を受けて暗号化を施し、通信制御ユニットＮＣＵへ送付する交信暗号化手段９１４、
（１１）通信媒体Ｎｗとの双方向交信のインタフェースとして作動する通信制御ユニットＮＣＵ、
を備える。
【００５５】
さらに、
（１２）通信媒体Ｎｗおよび通信制御ユニットＮＣＵを介して供給側Ｓｐｙ１’から送付された信号を受け、これに復号化を施して限定受信情報Ｉｒｃｖ１を復元させる交信復号化手段９２１、
（１３）復元された限定受信情報Ｉｒｃｖ１を受けてホームサーバＨｓｖから読み出した注文・選択データが載った信号９２３ａと対照して内容の正誤確認し、時計９２２から受けた現在の日時データに基づき限定受信情報Ｉｒｃｖ１の期間項目ｉｔｍ１を満たすかをチェックし、期間内で有効あれば、限定受信情報Ｉｒｃｖ１の記事ジャンル項目ｉｔｍ２、紙面広告ジャンル項目ｉｔｍ３、折込広告ジャンル項目ｉｔｍ４に基づき上記の抽出制御信号９２３ｂを作成して該当フラグメント抽出手段９０２へ付与し、且つ、限定受信情報Ｉｒｃｖ１の限定受信制御項目ｉｔｍ５に載った復号データから復号キー９２３ｃを作成して復号手段９０３へ付与し、さらに上記チェック結果等を信号９２３ａに載せてホームサーバＨｓｖに記録する、限定受信管理手段９２３、
を備える。
【００５６】
リモコン９１１、入力処理手段９１２が図３に示された入力モジュールＩｐｍ１を形成する。また注文・選択情報編成手段９１３、ホームサーバＨｓｖ、交信暗号化手段９１４、通信制御ユニットＮＣＵ、交信復号化手段９２１、時計９２２、限定受信管理手段９２３が管理及び通信モジュールＣｃｍ１を形成する。
【００５７】
ホームサーバＨｓｖは、例えば大容量のハード磁気ディスクやＤＶＤ―ＲＷを記録媒体とする記録装置である。ホームサーバＨｓｖに加えてさらに、着脱自在な可搬型記録媒体による記録装置を具備させることもできる。着脱自在の記録媒体には、例えばソニー（株）が提供するメモリー・スティックＳｔｋを適用することが好ましい。
メモリー・スティックＳｔｋは、供給側Ｓｐｙ１’が前記図６に示されたような注文・選択に係る画面を表示させるフォームデータや、前記図７に示されたジャンル・リストＬｊを格納して前以て視聴側Ｖｗ１へ配付するか、或いは視聴側Ｖｗ１が外部の機器、たとえばパソコン、情報端末、据置電話機または携帯電話機との間の情報授受に使用する目的で準備される。後者の場合に上記各機器はメモリー・スティックＳｔｋを装着可能に構成され、当該メモリー・スティックＳｔｋを介して情報授受される。より具体的には、視聴側Ｖｗ１のデジタル放送受信モジュールＤｒｍ１が受信したデータ放送コンテンツ（記事、広告等）をメモリー・スティックＳｔｋへ記録し、またはホームサーバＨｓｖからメモリー・スティックＳｔｋへ転写し、ついでこのメモリー・スティックＳｔｋをパソコン、情報端末、据置または携帯電話機に装着することにより上記各機器がデータ放送コンテンツを利用することができる。
【００５８】
図１１は情報授受システムＳｙｓ１’の交信シーケンスチャートである。以下、図１１に沿い、図９及び図１０を参照しつつ情報授受システムＳｙｓ１’の各部の動作を詳説するが、情報授受システムＳｙｓ１’の各部のうち前記情報授受システムＳｙｓ１と実質的に同一部分の動作は前記説明を援用するものとして説明の重複を回避する。
情報授受システムＳｙｓ１’の交信は、視聴側Ｖｗ１から供給側Ｓｐｙ１’へ通信媒体Ｎｗを介して注文・選択情報Ｉｃｒｔ１を送付する交信ｑ１、供給側Ｓｐｙ１’から視聴側Ｖｗ１へ通信媒体Ｎｗを介して限定受信情報Ｉｒｃｖ１を送付する交信ｑ２、供給側Ｓｐｙ１’から視聴側Ｖｗ１へデジタル放送媒体Ｂｃｍａを介しデータ放送されるオンエア・ストリームＯｓｔｒを受信する交信ｑ３が順に実行される。
【００５９】
視聴側Ｖｗ１において利用者が購読契約を所望し、リモコン９１１を操作して注文に係る画面表示の指示を入力すると、入力処理手段９１２からその信号９１２ａを受けた画面形成手段９０４は、メモリー・スティックＳｔｋまたはホームサーバＨｓｖから記録されている注文・選択画面フォームを読込み、ディスプレイ装置Ｄｐｙへ表示させる。また同様に、ジャンル・リストＬｊを読込み、表示させる。
利用者が注文・選択画面（前記図６参照）上で登録手続をし、購読を所望する発行元、契約期間を指定し、ジャンル・リストＬｊを参照しつつ所望のジャンルを指定すると、入力処理手段９１２が入力指定９１２ｃとして出力し、注文・選択情報編成手段９１３がこれを受けて注文・選択データ９１３ａを編成し、ホームサーバＨｓｖへ記録保存するとともに注文・選択情報Ｉｃｒｔ１として交信暗号化手段９１４へ送付する。注文・選択情報Ｉｃｒｔ１は交信暗号化手段９１４で暗号化が施され、通信制御ユニットＮＣＵを経て通信媒体Ｎｗ経由で供給側Ｓｐｙ１’へ伝達される。
【００６０】
供給側Ｓｐｙ１’では販売管理モジュールＣｓｍ１’の交信復号化手段８１１が通信制御ユニット８１０経由でこれを受けると復号化を施して注文・選択情報Ｉｃｒｔ１を復元し、受付処理手段８１２がデータサーバ８０３のカスタマ・ファイル８１４へ格納する。ついで管理手段８１７は格納された注文・選択情報Ｉｃｒｔ１の決済指定データｉｔｃ３を取りだし、契約金額を算出のうえ専用回線８２０を経由して決済モジュールＡｔｍへ送付するとともに審査と課金決済を依頼する。決済処理モジュールＡｔｍは決済指定データｉｔｃ３および契約金額に基づき視聴側Ｖｗ１の口座を審査し、合格すればカード引き落とし等の課金処理を実行するとともに課金決済結果を管理手段８１７へ報告する。
管理手段８１７は報告を受けると、決済モジュールＡｔｍへ課金処理費ｖｆを支払い、成立した契約をデータサーバ８０３のログファイル８１６へ記録保存するとともに、契約情報Ｉｃｒｔ’を放送モジュールＢｄｍ１’へ送付し、また広告費（電波使用料）ｂｆを放送モジュールＢｄｍ１’へ支払う。さらにデータサーバ８０３のカスタマ・ファイル８１４から視聴側Ｖｗ１の購読条件を取りだし、また当該購読条件に基づきデータサーバ８０３の復号キー・リスト８１５から該当する復号キーを取り出して、これらを限定受信情報編成手段８１８へ送付する。
【００６１】
限定受信情報編成手段８１８は、管理手段８１７から受けた、契約期間／ジャンル／復号キー等が載ったデータ８１７ａに基づき、指定された内容に適う情報フラグメントの取込みを許可する限定受信情報Ｉｒｃｖ１を編成し、交信暗号化手段８１９へ送付する。限定受信情報Ｉｒｃｖ１には期間項目ｉｔｍ１、記事ジャンル項目ｉｔｍ２、紙面広告ジャンル項目ｉｔｍ３、折込広告ジャンル項目ｉｔｍ４、限定受信制御項目ｉｔｍ５が搭載される。交信暗号化手段８１９は送付された限定受信情報Ｉｒｃｖ１を暗号化して通信制御ユニット８１０を経由し通信媒体Ｎｗを経て視聴側Ｖｗ１へ送出する。
【００６２】
一方、編成モジュールＡｓｍ１’の記事作成手段８００は、記事データｎ１を作成してジャンル設定手段８０１と暗号化手段８０２へ供給する。広告提供モジュールＳｐｍは紙面広告データａ１または／および折込広告データｄ１をジャンル設定手段８０１と暗号化手段８０２へ供給し、また広告料ａｆを管理手段８１７へ支払う。ジャンル設定手段８０１は入力された記事データｎ１と紙面広告データａ１または／および折込広告データｄ１それぞれのジャンルを設定してヘッダ付加手段８０６へ供給する。暗号化手段８０２はデータサーバ８０３に格納された暗号キー・リスト８０４を用い、入力された記事データｎ１と紙面広告データａ１または／および折込広告データｄ１に暗号化を施して暗号化フラグメントとし、これをヘッダ付加手段８０６へ供給する。
【００６３】
ヘッダ付加手段８０６は、ジャンル設定手段８０１から得たジャンルデータと暗号化手段８０２から得た暗号化フラグメントおよび日時管理手段８０５から得た日時データに基づき暗号化フラグメントにヘッダを付加してストリーム編成手段８０７へ供給する。ストリーム編成手段８０７はヘッダ付加手段８０６からヘッダ付きフラグメントの供給を受けてデータ・ストリームＤｓｔを編成し放送モジュールＢｄｍ１’へ送付する。放送モジュールＢｄｍ１’は送付されたデータ・ストリームＤｓｔをデータ放送ストリームとし、別途準備されたテレビ番組ストリームとともにオンエア・ストリームＯｓｔｒを編成し、デジタル放送する。さらに放送モジュールＢｄｍ１’は管理手段８１７から送付された契約情報Ｉｃｒｔ’をロギングし、広告費（電波使用料）ｂｆを管理手段８１７から受けると、契約情報Ｉｃｒｔ’に基づき検収する。
【００６４】
一方、視聴側Ｖｗ１の交信復号化手段９２１が通信媒体Ｎｗおよび通信制御ユニットＮＣＵを介して供給側Ｓｐｙ１’から送付された信号を受け、これに復号化を施して限定受信情報Ｉｒｃｖ１を復元させ、限定受信処理手段９２３へ入力すると、限定受信処理手段９２３は復元された限定受信情報Ｉｒｃｖ１を受けてホームサーバＨｓｖから読み出した注文・選択データが載った信号９２３ａと対照して内容の正誤確認し、時計９２２から受けた現在の日時データに基づき限定受信情報Ｉｒｃｖ１の期間項目ｉｔｍ１を満たすかをチェックし、期間内で有効あれば、限定受信情報Ｉｒｃｖ１の記事ジャンル項目ｉｔｍ２、紙面広告ジャンル項目ｉｔｍ３、折込広告ジャンル項目ｉｔｍ４に基づき上記の抽出制御信号９２３ｂを作成して該当フラグメント抽出手段９０２へ付与し、且つ、限定受信情報Ｉｒｃｖ１の限定受信制御項目ｉｔｍ５に載った復号データから復号キー９２３ｃを作成して復号手段９０３へ付与し、さらに上記チェック結果等を信号９２３ａに載せてホームサーバＨｓｖに記録する。
【００６５】
一方、受信回路９０１はデジタル放送されたオンエア・ストリームＯｓｔｒを受信してデータ放送ストリームを該当フラグメント抽出手段９０２へ供給すると、該当フラグメント抽出手段９０２は抽出制御信号９２３ｂに基づき該当フラグメントを選別抽出して復号手段９０３へ供給する。復号手段９０３は抽出された該当フラグメントを復号キー９２３ｃにより復元し、画面形成手段９０４へ送付する。また復元されたフラグメントをホームサーバＨｓｖへ記録保存する。ここで復元されたフラグメントをメモリ・スティックＳｔｋに記録することもできる。画面形成手段９０４は復号手段９０３から復元されたフラグメントを受け、あるいはホームサーバＨｓｖまたはメモリ・スティックＳｔｋからフラグメントを読出し、画面形成規準９０５の規準にしたがい画面形成してディスプレイ装置Ｄｐｙへ画面表示させる。
【００６６】
また上記で、管理手段８１７が信号８１７ａを出力する時刻を管理することにより、視聴側Ｖｗ１が契約した新聞や選択した広告を指定された時刻に視聴側Ｖｗ１に配信することが可能になる。
さらに記事作成手段８００が記事データｎ１を常時更新することにより、常時更新された有料情報の配信が可能になる。例えば１５分毎に更新して放送する場合、視聴側Ｖｗ１が時刻指定で７時に情報を読むことを指定すると、６時４５分から放送されているものが７時に読まれる。または６時４５分に放送されたものがホームサーバＨｓｖなどに記録され、これがプレイバックされることで７時に情報が読まれることになる。
【００６７】
さらに、前記の実施形態では供給側がテレビ番組放送の実施時間帯中に、データ放送により有料情報を送信するが、これに限定されることなく、テレビ番組放送の休止時間を利用して、テレビ番組放送により有料情報を送信することも可能である。後者の場合、有料情報はテレビ番組放送とデータ放送の何れによっても視聴側へ提供可能になる。
【００６８】
上記のように本発明によれば、購読期間を含め契約の自由度が高く、また発行元（新聞社など）やジャンルを記事単位で自由に選択できるので視聴側は自分の所望する情報のみを指定して購入でき、また興味や必要ある分野の広告のみを入手することができる。また入手分だけ代金を支払えばよく、且つデータ放送で配信されるので通信費を必要とせず、よって安価に入手できる。
さらに視聴側は契約および契約内容の変更を双方向通信により容易に実行でき、また情報蓄積機能を備えることにより配信された情報を保存し、必要な時に検索して見ることができ、さらに配信された新聞記事、紙面広告、折込広告ともに必要なものを選択して印刷できるから、用紙や印刷にともなうロス発生を抑えて資源の有効利用が可能になり極めて合理的である。
また上記で主催者が地方新聞社の場合、当該地域の記事と当該地域の広告を、地方放送局がデータ放送ストリームに載せてその地域に送信するようシステムを構成することにより広告効果を高め、且つ地方放送局の役割の向上を実現できる。
【００６９】
また上記の実施形態に基づいて、データ放送による記事または広告の有料提供ビジネスが可能になる。これは本発明において提案されるビジネスモデルであり、記事または広告を放送媒体経由で視聴側へデータ放送し、且つ視聴側との双方向情報授受を通信媒体経由で行うもので、記事または広告を分野毎の情報フラグメントとし、これらを暗号化してデータ放送する一方で、有料提供する情報フラグメントの任意の分野および任意の有効期間を定めた契約条件の有料提供契約を視聴側と締結し、この締結後に、契約条件を満たす情報フラグメントのみに復号化を施す限定受信制御信号を通信媒体経由で視聴側へ付与し、さらに課金決済する。
このビジネスモデルによる効果は前掲のとおりであり、合理的で経済的かつ利便性の高いサービスを提供することができる。
【００７０】
図１２は、本発明に係る情報授受方法を適用した情報授受システムの第２の実施形態における、供給側のブロック構成図であり、図１３は視聴側のブロック構成図である。本実施形態の情報授受システムＳｙｓ２は、データ放送に特殊な暗号化を施さず、簡素化された構成により限定受信機能を具現する。
なお前記実施形態におけると同一（または略同じ）部分には同じ符号を付し、前記説明を援用する。
【００７１】
情報授受システムＳｙｓ２の供給側Ｓｐｙ２は、
（１）記事データｎ１を作成してジャンル設定手段１１０１へ供給する記事作成手段１１００、
（２）紙面広告データａ１または／および折込広告データｄ１をジャンル設定手段１１０１へ供給し、また広告料ａｆを管理手段１１１６へ支払う広告提供モジュールＳｐｍ、
（３）記事作成手段１１００から入力された記事データｎ１と、広告提供モジュールＳｐｍから入力された紙面広告データａ１または／および折込広告データｄ１それぞれにジャンルを設定し、各データｎ１、ａ１、ｄ１およびそれぞれの設定ジャンル・データをヘッダ付加手段８０６へ供給するジャンル設定手段１１０１、
（４）日時データを出力する日時管理手段８０５、
（５）ジャンル設定手段１１０１から得たジャンル・データと各データｎ１、ａ１、ｄ１および日時管理手段８０５から得た日時データに基づき各データｎ１、ａ１、ｄ１にヘッダを付加してヘッダ付きフラグメントとし、ストリーム編成手段８０７へ供給するヘッダ付加手段８０６、
（６）ヘッダ付加手段８０６からヘッダ付きフラグメント等の供給を受けてデータ・ストリームＤｓｔを編成し放送モジュールＢｄｍ２へ送付するストリーム編成手段８０７、
（７）供給されたデータ・ストリームＤｓｔをデータ放送ストリームとするオンエア・ストリームＯｓｔｒを編成してデジタル放送する放送モジュールＢｄｍ２、
を備えて構成される。
【００７２】
さらに、
（８）通信媒体Ｎｗとの双方向通信インタフェースとして機能する通信制御ユニット８１０、
（９）通信媒体Ｎｗから受信した信号に復号化を施す交信復号化手段８１１、
（１０）復号された信号を受付けて注文・選択情報Ｉｃｒｔ１を取り出し、データサーバ１１１３のカスタマ・ファイル８１４へ格納する受付処理手段８１２、
（１１）広告提供モジュールＳｐｍから広告料ａｆを受け取り、カスタマ・ファイル８１４から視聴側Ｖｗ２の決済指定データｉｔｃ３を取りだして決済モジュールＡｔｍへ送付するとともに審査と課金決済を依頼し、決済モジュールＡｔｍから審査結果や決済済み報告を受け、決済モジュールＡｔｍへ課金処理費ｖｆを支払い、成立した契約をデータサーバ１１１３のログファイル８１６へ記録保存するとともに契約情報Ｉｃｒｔ’を放送モジュールＢｄｍ２へ送付し、また放送モジュールＢｄｍ２へ広告費（電波使用料）ｂｆを支払い、さらにデータサーバ１１１３のカスタマ・ファイル８１４から視聴側Ｖｗ２の購読条件を取りだして限定受信制御信号編成手段１１１７へ送付する管理手段１１１６、
（１２）管理手段１１１６から受けた、契約期間／ジャンル等が載ったデータに基づき限定受信制御信号Ｉｒｃｔ２を編成し交信暗号化手段８１９へ送付する限定受信制御信号編成手段１１１７。限定受信制御信号Ｉｒｃｔ２は許容期間や許容分野等を搭載するものであり、視聴側Ｖｗ２においてフラグメントのヘッダ内容をチェックし、期間や分野等に基づき判定して受信機能をオンオフさせるための制御信号である。
（１３）送付された限定受信制御信号Ｉｒｃｔ２を暗号化して通信制御ユニット８１０経由で通信媒体Ｎｗへ送出する交信暗号化手段８１９、
を備えて構成される。
また上記で、管理手段１１１６から広告費ｂｆに加えて、不図示であるが契約成立時の報酬金が放送モジュールＢｄｍ２へ支払われることもある。
【００７３】
したがって供給側Ｓｐｙ２の動作が前記供給側Ｓｐｙ１’の動作と異なる部分は、フラグメントに暗号化を施さず、フラグメント・データにヘッダ（分野や日時特定）を添付し、このように形成された複数のヘッダ付きフラグメントの列をデジタル放送ストリームとして放送する。さらに限定受信制御信号編成手段１１１７は、視聴側Ｖｗ２へ復号キーを付与するのではなく、視聴側Ｖｗ２の機能の一部をオンオフさせる限定受信制御信号Ｉｒｃｔ２を視聴側Ｖｗ２へ付与する。
【００７４】
つぎに、視聴側Ｖｗ２は情報授受装置として構成され、
（１）デジタル放送による少なくともデータ放送を受信する受信回路９０１、
（２）受信回路９０１からデータ放送ストリームを受け、制御信号１２２３ｂに基づき適合するフラグメントのみを通過させる適合フラグメント選択手段１２０２、
（３）通過したフラグメントを記録保存するホームサーバＨｓｖ、
（４）適合フラグメント選択手段１２０２からフラグメントを受け、またはホームサーバＨｓｖから記録保存されたフラグメントを取りだし、画面編成規準９０５の規準にしたがい画面形成してディスプレイ装置Ｄｐｙへ画面表示させる画面形成手段９０４、
（５）フラッシュメモリ等の不揮発性記憶手段を備えて、入力処理手段９１２から入力される指定９１２ｂに基づき画面形成規準を形成し、画面形成手段９０４からの要求に応じて提供する画面編成規準９０５、
（６）利用者によって操作されるリモコン９１１、
（７）リモコン９１１から入力された内容と画面表示内容を対照させる信号９１２ａを画面形成手段９０４間で授受し、入力指定９１２ｃとして出力し、且つリモコン９１１から入力された画面形成規準の指定９１２ｂを画面形成規準９０５へ送付する入力処理手段９１２、
（８）入力指定９１２ｃを受けて注文・選択データ９１３ａを編成し、ホームサーバＨｓｖへ記録保存するとともに注文・選択情報Ｉｃｒｔ１として出力する注文・選択情報編成手段９１３、
（９）注文・選択情報編成手段９１３から注文・選択情報Ｉｃｒｔ１を受けて暗号化を施し、通信制御ユニットＮＣＵへ送付する交信暗号化手段９１４、
（１０）通信媒体Ｎｗとの双方向交信のインタフェースとして作動する通信制御ユニットＮＣＵ、
を備える。
【００７５】
さらに、
（１１）通信媒体Ｎｗおよび通信制御ユニットＮＣＵを介して供給側Ｓｐｙ２から送付された信号を受け、これに復号化を施して限定受信管理手段１２２３へ供給する交信復号化手段９２１、
（１２）交信復号化手段９２１から供給された信号から限定受信制御信号Ｉｃｒｔ２を抽出し、ホームサーバＨｓｖから読み出した注文・選択データが載った信号１２２３ａと対照して内容の正誤確認し、時計９２２から受けた現在の日時データに基づき限定受信制御信号Ｉｃｒｔ２によって指定された許容期間を満たすかをチェックし、期間内で有効あれば、限定受信制御信号Ｉｃｒｔ２によって指定された許容ジャンルに基づき制御信号１２２３ｂを作成して適合フラグメント選択手段１２０２へ付与し、さらに上記チェック結果等を信号１２２３ａに載せてホームサーバＨｓｖに記録する、限定受信管理手段１２２３、
を備える。
【００７６】
したがって視聴側Ｖｗ２の動作が前記視聴側Ｖｗ１の動作と異なる部分は、デジタル放送ストリームを受信すると適合フラグメント選択手段１２０２がヘッダの情報を読んで、制御信号１２２３ｂで許容されたフラグメントのみを通過させ、他のフラグメントは通過させずに廃棄する。
【００７７】
上記のように本実施形態に係る情報授受システムＳｙｓ２は、供給側Ｓｐｙ２でデータ放送に特殊な暗号化を施さず、したがって視聴側Ｖｗ２で復号化を施すことなく、簡素化された構成により限定受信するものであり、データ放送の適正でない受信の排除の観点からは前記暗号化／復号化による構成に比して厳密ではないものの、安価なシステムで限定受信を可能にできることで一般性がある。
【００７８】
図１４は、供給側が複数の主催者で構成される場合の説明図である。前掲の各実施形態の説明は理解の容易のため主催者と視聴側を「一対一」とする図を用いたが、実際には一つの主催者に多数の視聴側が対応する「一対多」、さらに最も普遍性があるものとして、複数の主催者に多数の視聴側が対応する「多対多」がある。
同図に示されるように、主催者ＭｓＡは例えばＡ新聞社であり、デジタル放送のチャネルＣｈ１を用いて、オンエア・ストリームＯｓｔｒ１をデジタル放送する。オンエア・ストリームＯｓｔｒ１にはデータ放送コンテンツとして記事フラグメントＡｆｇｎ、紙面広告フラグメントＡｆｇａ、折込広告フラグメントＡｆｇｄの列が搭載されている。一方、主催者ＭｓＢは例えばＢ新聞社であり、デジタル放送のチャネルＣｈ２を用いて、オンエア・ストリームＯｓｔｒ２をデジタル放送する。オンエア・ストリームＯｓｔｒ２にはデータ放送コンテンツとして記事フラグメントＢｆｇｎ、紙面広告フラグメントＢｆｇａ、折込広告フラグメントＢｆｇｄの列が搭載されている。また主催者ＭｓＣについても同様である。
【００７９】
視聴側Ｖｗは実際は不特定多数であるが、図１４では便宜的に「多対一」で示している。視聴側Ｖｗはチャネル選択により複数のオンエア・ストリームＯｓｔｒ１〜Ｏｓｔｒ３を受信可能である。さらに視聴側Ｖｗは通信媒体Ｎｗを経由して主催者ＭｓＡ〜ＭｓＣとそれぞれ注文・選択情報ＩｃｔｒＡ〜ＩｃｔｒＣおよび限定受信情報ＩｒｃｖＡ〜ＩｒｃｖＣを授受することにより、主催者ＭｓＡ〜ＭｓＣとそれぞれ個別に有料購読契約できる。また図中、広告主Ｓｐｍも複数である。
【００８０】
図１５は、本発明に係る情報授受方法を適用した情報授受システムの第３の実施形態の概要構成図である。ここで示される情報授受システムＳｙｓ３は主催者Ｍｓ３１〜Ｍｓ３３と視聴側Ｖｗが「多対多」の構成において、複数の決済モジュールＡｔｍ３１〜Ａｔｍ３３が存在し、主催者Ｍｓ３１〜Ｍｓ３３の各々と夫々対応して課金決済する。但し図中の主催者と決済モジュールの対応は一例であり、これ以外の種々の対応が可能であることは論をまたない。
【００８１】
図１６は、本発明に係る情報授受方法を適用した情報授受システムの第４の実施形態の概要構成図である。ここで示される情報授受システムＳｙｓ４は主催者Ｍｓ４１〜Ｍｓ４３と視聴側Ｖｗが「多対多」の構成において、集中決済モジュールＣａｔｍが複数の主催者Ｍｓ４１〜Ｍｓ４３と契約して課金決済する。各主催者Ｍｓ４１〜Ｍｓ４３と集中決済モジュールＣａｔｍ間は回線Ｄｎｗで接続され、回線Ｄｎｗの一例としてインターネット機構がある。
【００８２】
図１７は、本発明に係る情報授受方法を適用した情報授受システムの第５の実施形態の概要構成図であり、供給側において記事と広告をリンクさせる情報をデジタル放送により供給し、視聴側において例えば記事を取込み画面表示すると、リンクされている広告も自動的に同時に画面表示される機能を具備するシステムである。なお前記実施形態におけると同様部分には同一符号を付して前記説明を援用する。
【００８３】
情報授受システムＳｙｓ５は、供給側Ｓｐｙ５、視聴側Ｖｗ５、およびこれらの間の情報授受を仲介するデジタル放送媒体Ｂｃｍａと通信媒体Ｎｗを備える。
供給側Ｓｐｙ５は、情報コンテンツを記事フラグメントｆｇｍｎ、紙面広告フラグメントｆｇｍａ、折込広告フラグメントｆｇｍｄに編成し、さらに任意の記事フラグメントｆｇｍｎに予め定めた紙面広告フラグメントｆｇｍａまたは／および折込広告フラグメントｆｇｍｄをリンクさせる情報を示すリンク対応表に基づき、フラグメント間のリンクを指定するコントロール・フラグメントｆｇｍｃを編成し、これら複数のフラグメントから成るデータ放送ストリームとして、具備するデジタル放送送信機能によりデジタル放送媒体Ｂｃｍａ経由で放送する。
さらに通信媒体Ｎｗを介した双方向通信機能により視聴側Ｖｗ５から注文・選択情報Ｉｃｒｔ１（図１に示されたと略同一）を受けて有料情報提供に係る契約を成立させ、有料提供の対象となるフラグメントと、それにリンクされたフラグメントのみをデータ放送ストリームから取り込むための限定受信情報Ｉｒｃｖ５を通信媒体Ｎｗを介し視聴側Ｖｗ５に送付し、また契約に基づく有料情報提供の対価として代金を視聴側Ｖｗ５から回収する。
【００８４】
視聴側Ｖｗ５は、所望の購読条件を設定した注文・選択情報Ｉｃｒｔ１を作成して通信媒体Ｎｗを介し供給側Ｓｐｙ５へ送付することにより、有料情報提供に係る契約を交わし、ついで購読条件が反映された限定受信情報Ｉｒｃｖ５を通信媒体Ｎｗを介して受けると、この限定受信情報Ｉｒｃｖ５の内容に基づき、取込が許可されたフラグメントと、コントロール・フラグメントによってリンク指定されたフラグメントのみをデータ放送ストリームから取込む。取込んだフラグメントはコントロール・フラグメントにしたがいリンクさせて画面表示し、或いは記録保存し、またプリントアウトさせる。
【００８５】
図１８は、記事フラグメントと広告フラグメントを対応付けたリンク対応表の例である。リンク対応表Ｌｔａｂは、記事フラグメントの識別番号と、これにリンクされた紙面広告フラグメントの識別番号、および折込広告フラグメントの識別番号が対応付けられる。
リンク対応表Ｌｔａｂに示されるように、識別番号Ｊ１３Ｓ０４＿０４９からＪ１３Ｓ０４＿０５８の記事フラグメントおよび、Ｊ０２Ｓ０５＿００１からＪ０２Ｓ０５＿００２の記事フラグメントには識別番号ａ１８の紙面広告フラグメントがリンクされている。さらに、識別番号ｄ０７の折込広告フラグメントがリンクされている。
したがって上記の記事フラグメントの少なくとも何れかが取り込まれた時には、リンクされた紙面広告フラグメント（識別番号ａ１８）と折込広告フラグメント（識別番号ｄ０７）も同時に取り込まれ、同一画面表示や印刷がなされる。
同様に、例えば識別番号Ｊ０９Ｓ１４＿００６からＪ０９Ｓ１４＿０１０の記事フラグメントには識別番号ａ２２の紙面広告フラグメントおよび識別番号ｄ０７の折込広告フラグメントがリンクされているから、上記何れかの記事フラグメントが取り込まれた時には、リンクされた紙面広告フラグメント（識別番号ａ２２）に加えて、リンクされた折込広告フラグメント（識別番号がｄ０７）も同時に取り込まれ、画面表示や印刷がなされる。
広告主（スポンサー）は自社の広告に複数の記事をリンクさせて設定することにより、何れかの記事が読まれる時に必ずこの広告が表示されるから、客への訴求の機会が増大し、高い広告効果を得ることができる。また対応は自在に設定・変更が可能であるから、リンクする記事およびその数を臨機応変に変更でき、常に最も費用対効果が高いリンクを設定することができる。
【００８６】
このリンク対応表Ｌｔａｂに基づいて前掲のコントロール・フラグメントｆｇｍｃが編成される。コントロール・フラグメントｆｇｍｃには図１７に示されるように、「日時＿分野＿記事番号」と「紙面広告番号」とが対応付けされ、さらに「紙面広告番号」と「折込広告番号」とが対応付けされている。
【００８７】
図１９は、図１７に示された情報授受システムＳｙｓ５の供給側Ｓｐｙ５のブロック構成図である。なお前記実施形態におけると同じ部分には同一符号を付し、前記説明を援用する。
【００８８】
供給側Ｓｐｙ５は、
（１）記事データｎ１を作成してジャンル設定手段８０１と暗号化手段８０２へ供給する記事作成手段８００、
（２）紙面広告データａ１または／および折込広告データｄ１をジャンル設定手段８０１と暗号化手段８０２へ供給し、また広告料ａｆを管理手段８１７へ支払う広告提供モジュールＳｐｍ、
（３）記録保存されている前記ジャンル・リストＬｊ（図７参照）をヘッダ付加手段８０６へ供給し、さらに、記事作成手段８００から入力された記事データｎ１と、広告提供モジュールＳｐｍから入力された紙面広告データａ１または／および折込広告データｄ１それぞれのジャンルを設定してヘッダ付加手段８０６へ供給するジャンル設定手段８０１、
（４）データサーバ１８００に格納された暗号キー・リスト８０４を用い、入力された記事データｎ１と紙面広告データａ１と折込広告データｄ１に暗号化を施して暗号化フラグメントとし、これをヘッダ付加手段８０６へ供給する暗号化手段８０２、
（５）日時データを出力する日時管理手段８０５、
（６）ジャンル設定手段８０１から得たジャンルデータと暗号化手段８０２から得た暗号化フラグメントおよび日時管理手段８０５から得た日時データに基づき暗号化フラグメントにヘッダを付加したヘッダ付きフラグメント（ｆｇｍｎ、ｆｇｍａ、ｆｇｍｄ）とジャンル・リストＬｊにヘッダを付加したフラグメント（不図示）をストリーム編成手段１８０８へ供給するヘッダ付加手段８０６、
（７）データサーバ１８００に格納されたリンクテーブル１８０６を用い、コントロール・フラグメントｆｇｍｃを作成してストリーム編成手段１８０８へ供給するコントロール・フラグメント作成手段１８０７、
（８）ヘッダ付加手段８０６からジャンル・リストＬｊのフラグメントおよびヘッダ付きフラグメント（ｆｇｍｎ、ｆｇｍａ、ｆｇｍｄ）の供給を受け、さらにコントロール・フラグメント作成手段１８０７からコントロール・フラグメントｆｇｍｃを受けて、これらを載せたデータ・ストリームＤｓｔ５を編成のうえ放送モジュールＢｄｍ５へ送付するストリーム編成手段１８０８、
（９）供給されたデータ・ストリームＤｓｔ５をデータ放送ストリームとするオンエア・ストリームＯｓｔｒを編成してデジタル放送する放送モジュールＢｄｍ５、
を備えて構成される。
【００８９】
さらに、通信制御ユニット８１０、交信復号化手段８１１、受付処理手段８１２、管理手段８１７、限定受信情報編成手段８１８、交信暗号化手段８１９、専用回線８２０を備えるが、これらは前掲と略同一構成である。
【００９０】
したがって供給側Ｓｐｙ５の動作が前記供給側Ｓｐｙ１’の動作と異なる部分は、コントロール・フラグメント作成手段１８０７を具備して、リンクテーブル１８０６にしたがい、記事フラグメントと広告（紙面、折込）フラグメントとのリンク状態を指定するコントロール・フラグメントｆｇｍｃを作成し、このコントロール・フラグメントｆｇｍｃが載ったデータ放送ストリームをデジタル放送する構成である。
【００９１】
図２０は、図１７に示された情報授受システムの視聴側のブロック構成図である。なお前記実施形態におけると同じ部分には同一符号を付し、前記説明を援用する。
視聴側Ｖｗ５は、情報授受装置として構成され、
（１）データ放送を受信し、データ放送ストリームをコントロール・フラグメント検出手段１９０２および該当フラグメント抽出手段１９０３に供給する受信回路１９０１、
（２）供給されたデータ放送ストリーム中からコントロール・フラグメントを検出して該当フラグメント抽出手段１９０３および画面形成手段１９０５に出力するコントロール・フラグメント検出手段１９０２、
（３）受信回路１９０１からデータ放送ストリームを受け、またコントロール・フラグメント検出手段１９０２からコントロール・フラグメントｆｇｍｃを受け、さらに限定受信管理手段９２３から抽出制御信号９２３ｂを受け、先ず抽出制御信号９２３ｂに適う記事フラグメントｆｇｍｎまたは／および広告（紙面、折込）フラグメントｆｇｍａ／ｆｇｍｄをデータ放送ストリームから抽出し、ついで抽出した各フラグメントにつき、コントロール・フラグメントｆｇｍｃを参照してリンクされたフラグメントをデータ放送ストリームから抽出し、これら抽出したフラグメントすべてを復号手段９０３へ送付する該当フラグメント抽出手段１９０３、
（４）該当フラグメント抽出手段１９０３から送付されたフラグメントを復号キー９２３ｃにより復元して画面形成手段１９０５へ送付するか、またはホームサーバ装置Ｈｓｖへ記録させる復号手段９０３、
（５）復元されたフラグメントを記録保存するホームサーバ装置Ｈｓｖ、
（６）コントロール・フラグメント検出手段１９０２からコントロール・フラグメントｆｇｍｃを受け、さらに復号手段９０３から復元されたフラグメントを受けるか又はホームサーバ装置Ｈｓｖから記録されたフラグメントを読み出し、画面形成規準９０６の規準にしたがい画面形成して、ディスプレイ装置Ｄｐｙへリンクされた状態の画面表示をする画面形成手段１９０５、
を備える。
【００９２】
さらに、画面形成規準９０６、リモコン９１１、入力処理手段９１２、注文・選択情報編成手段９１３、交信暗号化手段９１４、通信制御ユニットＮＣＵ、交信復号化手段９２１、時計９２２、限定受信管理手段９２３をそれぞれ備えるが、これらは前掲と略同一構成である。
【００９３】
図２１は、画面構成の例を示す図である。リモコン９１１から入力処理手段９１２を経て画面構成指定９１２ｂを画面編成規準９０６へ入力して設定する場合、とりわけ記事とそれにリンクされた広告の両方を同時に如何に画面表示させるかが肝要である。画面２００１は全画面の記事表示２００１ａの一部分を広告（紙面広告または／および折込広告）の表示２００１ｂで重畳または置換するもので、記事表示２００１ａを読み進むうちに広告表示２００１ｂが支障になれば、広告表示２００１ｂの位置を移動させるか、広告表示２００１ｂを消すことができる。
一方、画面２００２は例えば２画面型の表示であり、一つの画面を記事表示２００２ａ、他の画面を広告表示２００２ｂとする例である。
あるいは、全画面の記事表示２００３と全画面の広告表示２００４を切り替えることもできる。信号９１２ｂで画面構成を指定することにより、図示された何れかの画面構成が可能となる。
【００９４】
なお記事フラグメントと広告フラグメントとのリンクは、前掲のように供給側Ｓｐｙ５において記事／広告対応表（リンクテーブル）を作成し、このリンクテーブルをデジタル放送ストリームに載せる構成とする以外にも、放送媒体以外の通信経路に載せてリンクテーブルを視聴側Ｖｗ５へ送付し、これを受信した視聴側Ｖｗ５がリンクテーブルに基づいて指定されている記事フラグメントと広告フラグメントのみを取り込み、画面表示または印刷処理を行う構成が可能である。さらに、リンクテーブルの少なくとも一部を前掲のメモリ・スティックＳｔｋに記録して、パッケージの形態で視聴側Ｖｗ５へ供給することも可能である。
【００９５】
したがって視聴側Ｖｗ５の動作が前記視聴側Ｖｗ１の動作と異なる部分は、コントロール・フラグメント検出手段１９０２を具備してデータ放送ストリーム中からコントロール・フラグメントｆｇｍｃを検出し、コントロール・フラグメントｆｇｍｃに基づいてリンク指定された記事フラグメントｆｇｍｎや広告フラグメントｆｇｍａ、ｆｇｍｄをデータ放送ストリーム中から取込み、リンクされた状態の画面表示をする構成である。
【００９６】
上記のように、本実施形態の構成によれば、供給側Ｓｐｙ５において記事フラグメントと広告フラグメントとを対応させておき、視聴側Ｖｗ５が一方の表示を所望すると他方も同時に画面表示させるか、一方の印刷を所望すると他方も同時に印刷させることによって、無駄なく効率的に、煩雑な操作を要することなく、必要とするニュース記事と、それに関連する広告を同時に見ることができる。或いは必要とする広告を見ると、それに関連するニュース記事を同時に見ることができる。これにより広告効果を向上でき、また利用者にとり便利である。
【００９７】
図２２は、本発明に係る情報授受方法を適用した情報授受システムの第６の実施形態におけるビジネス形態の説明図である。このビジネス形態における供給側Ｓｐｙ６の構成部分である主催者Ｍｓ６は、前記実施形態のビジネスモデルと異なって放送局である。したがってコンテンツ送出システム（デジタル放送設備）を運営する免許放送業者である放送局が、仕入れた記事や広告といった情報コンテンツの情報再販事業者として自ら再販を手掛けるビジネスモデルである。
当該ビジネスモデルに適用される情報授受システムＳｙｓ６（不図示）は供給側Ｓｐｙ６と視聴側Ｖｗ６（不図示）を備え、デジタル放送媒体Ｂｃｍａを介して情報をデジタル放送で片方向伝送し、且つ双方向の通信媒体Ｎｗを介して双方向通信する。供給側Ｓｐｙ６は主催者Ｍｓ６、広告主（広告提供モジュール）Ｓｐｍ、新聞社や出版元など（第１の協力業者）Ｃｏ６１、カード会社（決済モジュール）Ａｔｍから構成される。
【００９８】
主催者Ｍｓ６は情報編成モジュールＡｓｍ６と販売管理モジュールＣｓｍ６と、デジタル放送設備である放送モジュールＢｄｍ６を備える。情報編成モジュールＡｓｍ６は第１の協力業者Ｃｏ６１から記事ｎ６１を仕入れ、また広告主Ｓｐｍから販売管理モジュールＣｓｍ６経由で紙面広告データａ１、折込広告データｄ１の提供をうけ、これら情報素材を使ってデータ放送コンテンツを編成し、これを放送モジュールＢｄｍ６によりオンエア・ストリームＯｓｔｒとして放送する。オンエア・ストリームＯｓｔｒは記事、紙面広告、折込広告を載せ、さらに前述した記事と広告（紙面広告または／および折込広告）のリンク情報を載せる。
【００９９】
販売管理モジュールＣｓｍ６は、広告主Ｓｐｍから送られた紙面広告データａ１、折込広告データｄ１を情報編成モジュールＡｓｍ６へ送付し、また広告主Ｓｐｍから広告料ａｆを受理し、記事の購入費ｎｆ６１を第１の協力業者Ｃｏ６１へ支払う。さらに、視聴側Ｖｗ６から通信媒体Ｎｗを介して送付された注文・選択情報Ｉｃｒｔ６を受理することにより視聴側Ｖｗ６と購読契約し、視聴側Ｖｗ６へ限定受信情報Ｉｒｃｖ６を送付し、さらにカード会社Ａｔｍと課金処理データｄ６を授受して課金処理を依頼し、その処理結果を受ける。
カード会社Ａｔｍは視聴側Ｖｗ６へ課金し、代金回収を実施して結果を販売管理モジュールＣｓｍ６へ通知する。視聴側Ｖｗ６は購読契約して購読料金ｓｂｓｆを支払うことにより、希望する新聞や刊行物の所望の分野の記事を、任意の期間だけデジタル放送で購読することができる。
【０１００】
広告主Ｓｐｍは、紙面広告データａ１または／および折込広告データｄ１を販売管理モジュールＣｓｍ６経由で主催者Ｍｓ６の情報編成モジュールＡｓｍ６へ提供し、また広告料ａｆを主催者Ｍｓ６の販売管理モジュールＣｓｍ６へ支払う。
出版社や、ニュース記事を有料提供する新聞社、あるいは他の放送局は、第１の協力業者Ｃｏ６１として、主催者Ｍｓ６と契約して記事情報を有料提供するが、記事情報に限定されずに記事と広告をセットとした情報素材として有料提供することもできる。記事と広告がセットの場合、第１の協力業者Ｃｏ６１は広告主Ｓｐｍと直接契約して広告料金を受領し、さらに記事と広告がセットの情報素材の提供料を主催者Ｍｓ６から受ける。
また特に、主催者Ｍｓ６が地方において営業する場合などでは、第１の協力業者Ｃｏ６１として前述したような諸種の刊行元に加えて、中央のキー放送局を含めることができ、キー放送局が提供する放映コンテンツを独自に編成して再販することもできる。
【０１０１】
主催者Ｍｓ６と視聴側Ｖｗ６は前記実施形態におけると同様、双方向の通信媒体Ｎｗを介して、代金決済情報を含めた注文・選択情報Ｉｃｒｔ６、限定受信情報Ｉｒｃｖ６を授受する。
当該ビジネスモデルによれば、従来のインターネット経由によるニュース配信サービス等と異なり、情報コンテンツをデータ放送により配信することで視聴側Ｖｗ６に伝送に係る料金が課せられず、よって低コストで情報コンテンツ配信を受けることができる。
【０１０２】
当該ビジネスモデルでの各業者の収支を纏めて説明すると、広告主Ｓｐｍは広告料金ａｆを主催者Ｍｓ６へ支払う。第１の協力業者Ｃｏ６１は記事の提供料ｎｆ６１を主催者Ｍｓ６から受理する。視聴側Ｖｗ６は購読料金ｓｂｓｆをカード会社Ａｔｍへ支払う。カード会社Ａｔｍは回収した購読料金ｓｂｓｆを主催者Ｍｓ６へ還流し、主催者Ｍｓ６はカード会社Ａｔｍへ課金処理費ｖｆを支払う。
したがって主催者Ｍｓ６の収入は広告料金ａｆと購読料金ｓｂｓｆであり、支出は情報コンテンツ購入代金ｎｆ６１と課金処理費ｖｆおよび諸経費であり、この差額が粗利益として確保される。
【０１０３】
図２３は、本発明に係る情報授受方法を適用した情報授受システムの第７の実施形態におけるビジネス形態の説明図である。このビジネス形態における供給側Ｓｐｙ７の構成部分である主催者Ｍｓ７は、前記第６の実施形態のビジネスモデルと同様に、デジタル放送設備を運営する免許放送業者である放送局であるが、前記第６の実施形態と異なり、記事を外部から仕入れることなく自前で作成するビジネスモデルである。
当該ビジネスモデルに適用される情報授受システムＳｙｓ７（不図示）は供給側Ｓｐｙ７と視聴側Ｖｗ７（不図示）を備え、デジタル放送媒体Ｂｃｍａを介して情報をデジタル放送で片方向伝送し、且つ双方向の通信媒体Ｎｗを介して双方向通信する。供給側Ｓｐｙ７は放送局である主催者Ｍｓ７、広告主（広告提供モジュール）Ｓｐｍ、カード会社（決済モジュール）Ａｔｍから構成される。
【０１０４】
主催者Ｍｓ７は情報作成・編成モジュールＡｓｍ７と販売管理モジュールＣｓｍ７と、デジタル放送設備である放送モジュールＢｄｍ７を備える。情報作成・編成モジュールＡｓｍ７は記事を作成し、また広告主Ｓｐｍから紙面広告データａ１、折込広告データｄ１の提供をうけ、これら情報素材を使ってデータ放送コンテンツを編成し、これを放送モジュールＢｄｍ７によりオンエア・ストリームＯｓｔｒとして放送する。オンエア・ストリームＯｓｔｒは記事、紙面広告、折込広告を載せ、さらに前述した記事と広告（紙面広告または／および折込広告）のリンク情報を載せる。
【０１０５】
販売管理モジュールＣｓｍ７は、広告主Ｓｐｍから広告料ａｆを受理する。さらに視聴側Ｖｗ７から通信媒体Ｎｗを介して送付された注文・選択情報Ｉｃｒｔ７を受理することにより視聴側Ｖｗ７と購読契約し、視聴側Ｖｗ７へ限定受信情報Ｉｒｃｖ７を送付し、さらにカード会社Ａｔｍと課金処理データｄ７を授受して課金処理を依頼し、その処理結果を受ける。
カード会社Ａｔｍは視聴側Ｖｗ７へ課金し、代金回収を実施して結果を販売管理モジュールＣｓｍ７へ通知する。視聴側Ｖｗ７は購読契約して購読料金ｓｂｓｆを支払うことにより、希望する新聞や刊行物の所望の分野の記事を、任意の期間だけデジタル放送で購読することができる。
【０１０６】
広告主Ｓｐｍは、紙面広告データａ１または／および折込広告データｄ１を主催者Ｍｓ７の情報編成モジュールＡｓｍ７へ提供し、また広告料ａｆを主催者Ｍｓ７の販売管理モジュールＣｓｍ７へ支払う。
主催者Ｍｓ７と視聴側Ｖｗ７は双方向の通信媒体Ｎｗを介して、代金決済情報を含めた注文・選択情報Ｉｃｒｔ７、限定受信情報Ｉｒｃｖ７を授受する。
当該ビジネスモデルによれば、情報コンテンツをデータ放送により配信することで視聴側Ｖｗ７に伝送に係る料金が課せられず、よって低コストで情報コンテンツ配信を受けることができる。
【０１０７】
当該ビジネスモデルでの各業者の収支を纏めて説明すると、広告主Ｓｐｍは広告料金ａｆを主催者Ｍｓ７へ支払う。視聴側Ｖｗ７は購読料金ｓｂｓｆをカード会社Ａｔｍへ支払う。カード会社Ａｔｍは回収した購読料金ｓｂｓｆを主催者Ｍｓ７へ還流し、主催者Ｍｓ７から課金処理費ｖｆを受ける。
したがって主催者Ｍｓ７の収入は広告料金ａｆと購読料金ｓｂｓｆであり、支出は課金処理費ｖｆおよび諸経費となる。
【０１０８】
図２４は、本発明に係る情報授受方法を適用した情報授受システムの第８の実施形態におけるビジネス形態の説明図である。このビジネス形態における供給側Ｓｐｙ８の構成部分である主催者Ｍｓ８は、前記実施形態のビジネスモデルと異なり、刊行元（新聞社や出版社）または放送局以外の、独立した立場の新しい事業者として参画し、仕入れた記事や広告といった情報の再販を手掛けるビジネスモデルである。したがって本ビジネスモデルでは、主催者Ｍｓ８は情報を再販する情報再販事業者となる。
【０１０９】
当該ビジネスモデルに適用される情報授受システムＳｙｓ８（不図示）は供給側Ｓｐｙ８と視聴側Ｖｗ８（不図示）を備え、デジタル放送媒体Ｂｃｍａを介して情報をデジタル放送で片方向伝送し、且つ双方向の通信媒体Ｎｗを介して双方向通信する。供給側Ｓｐｙ８は主催者Ｍｓ８、広告主（広告提供モジュール）Ｓｐｍ、複数の新聞社や出版元（第１の協力業者）Ｃｏ８０１やＣｏ８０２など、放送局（第２の協力業者）Ｃｏ８２、カード会社（決済モジュール）Ａｔｍから構成される。
【０１１０】
主催者Ｍｓ８は情報編成モジュールＡｓｍ８と販売管理モジュールＣｓｍ８を備える。情報編成モジュールＡｓｍ８は第１の協力業者（Ｃｏ８０１やＣｏ８０２など）から記事（ｎ８０１、ｎ８０２など）を仕入れ、また広告主Ｓｐｍから紙面広告データａ１、折込広告データｄ１の提供をうけ、これら情報素材を使ってデータ放送コンテンツＤｃｔを編成し、これを第２の協力業者Ｃｏ８２へ送付する。ここで編成されるデータ放送コンテンツＤｃｔには記事、紙面広告、折込広告を載せ、さらに前述した記事と広告（紙面広告または／および折込広告）のリンク情報を載せる。
【０１１１】
販売管理モジュールＣｓｍ８は、広告主Ｓｐｍから広告料ａｆを受理し、記事の購入費（ｎｆ８０１、ｎｆ８０２など）を第１の協力業者（Ｃｏ８０１やＣｏ８０２など）へ支払う。さらに、視聴側Ｖｗ８から通信媒体Ｎｗを介して送付された注文・選択情報Ｉｃｒｔ８を受理することにより視聴側Ｖｗ８と購読契約し、視聴側Ｖｗ８へ限定受信情報Ｉｒｃｖ８を送付し、さらにカード会社Ａｔｍと課金処理データｄ８を授受して課金処理を依頼し、その処理結果を受ける。
カード会社Ａｔｍは視聴側Ｖｗ８へ課金し、代金回収を実施して結果を販売管理モジュールＣｓｍ８へ通知する。視聴側Ｖｗ８は購読契約して購読料金ｓｂｓｆを支払うことにより、任意の新聞や刊行物の任意の分野の記事を、任意の期間だけ購読することができる。したがって視聴側Ｖｗ８は必要な分野の情報コンテンツを複数の新聞・雑誌から必要な期間だけ入手し、入手分のみの購読代金を、しかも一カ所だけにまとめて支払えばよい。
【０１１２】
広告主Ｓｐｍは、紙面広告または／および折込広告を委託するもので、これら広告データａ１、ｄ１を主催者Ｍｓ８の情報編成モジュールＡｓｍ８へ提供し、また広告料ａｆを主催者Ｍｓ８の販売管理モジュールＣｓｍ８へ支払う。
出版社や、ニュース記事を有料提供する新聞社、放送局は、第１の協力業者Ｃｏ８０１、Ｃｏ８０２等として、主催者Ｍｓ８と契約して記事情報を有料提供するが、記事情報に限定されずに記事と広告をセットとした情報素材として有料提供することもできる。後者の記事と広告がセットの場合、第１の協力業者Ｃｏ８０１、Ｃｏ８０２等は広告主Ｓｐｍと直接契約して広告料金を受領し、さらに記事と広告がセットの情報素材の提供料を主催者Ｍｓ８から受ける。
【０１１３】
通常、主催者Ｍｓ８は再販する情報の種類と数を充実させるため複数の第１の協力業者（Ｃｏ８１など）と契約する。
また特に、主催者Ｍｓ８が地方において営業する場合などでは、第１の協力業者Ｃｏ８１として前述したような諸種の刊行元に加えて、中央のキー放送局を含めることができ、キー放送局が提供する放映コンテンツを独自に編成して再販することもできる。この場合、ローカル放送局が第２の協力業者Ｃｏ８２として上記の再編成および実際の放送（オンエア）に協力することになる。
【０１１４】
第２の協力業者Ｃｏ８２は、主催者Ｍｓ８から委託を受けて放映コンテンツをデジタル放送するものであり、コンテンツ送出システム（デジタル放送設備）を運営する免許放送業者である放送局がこれに該当する。したがって主催者Ｍｓ８が委託放送事業者であり、第２の協力業者Ｃｏ８２は受託放送事業者として委託された放映コンテンツをデジタル放送して視聴側Ｖｗ８へ伝送する。ここで第２の協力業者Ｃｏ８２は複数の放送局でも差し支えない。
主催者Ｍｓ８と視聴側Ｖｗ８は前記実施形態におけると同様、双方向の通信媒体Ｎｗを介して、代金決済情報を含めた注文・選択情報Ｉｃｒｔ８、限定受信情報Ｉｒｃｖ８を授受する。また、これら情報の授受は図示されるような主催者Ｍｓ８と視聴側Ｖｗ８が直接実行する構成の以外にも、第２の協力業者Ｃｏ８２である放送局が、主催者Ｍｓ８の依頼により代行して視聴側Ｖｗ８と実行する構成であってもよい。
【０１１５】
当該ビジネスモデルによれば、たとえば主催者Ｍｓ８が複数の新聞社からそれぞれのニュース記事を購入し、これらを混載したデータ放送コンテンツを一つのチャネルによりデジタル放送すると、視聴側Ｖｗ８はこのチャネルを受信するだけで複数の新聞社のニュース記事を購読することができる。すなわちブラウザへジャンル指定するだけで、複数の発行元が提供する該当ジャンルの情報をすべて取込むことができる。
よって対象とする新聞社を変える度にチャネルを変えるといった煩雑な操作が一切必要ない。またその代金支払はそれぞれの新聞社へ支払う手間が不要であり、契約している主催者Ｍｓ８のみに代金決済すればよい。
しかも従来のインターネット経由によるニュース配信サービス等と異なり、情報コンテンツをデータ放送により配信することで視聴側Ｖｗ８には伝送に係る料金が課せられず、よって低コストで情報コンテンツ配信を受けることができる。
【０１１６】
上記の結果、視聴側Ｖｗ８の利便性が顕著に向上する。また主催者Ｍｓ８も、複数の素材源から多種多様な記事を確保できるから、再販対象である情報コンテンツの品揃えが豊富になることでより多くの有料購読者（視聴側Ｖｗ８）を確保でき、売上増大が可能になる。また前述したように再販対象となる情報コンテンツは記事に限定されず、記事と広告のセットも再販対象となる。記事と広告がリンクされた際の視聴側Ｖｗ８へ与える効果は、前記各実施形態において述べたと同様である。
【０１１７】
当該ビジネスモデルでの各業者の収支を纏めて説明すると、広告主Ｓｐｍは広告料金ａｆを主催者Ｍｓ８へ支払う。第１の協力業者Ｃｏ８１は記事の提供料ｎｆ８０１を主催者Ｍｓ８から受理する。第２の協力業者Ｃｏ８２は放送の実施に係る料金例えば電波使用料ｂｆを主催者Ｍｓ８から受理する。また主催者Ｍｓ８と視聴側Ｖｗ８とで購読契約が成立した際に、第２の協力業者Ｃｏ８２は報酬を主催者Ｍｓ８から受けることもある。
そして視聴側Ｖｗ８は購読料金ｓｂｓｆをカード会社Ａｔｍへ支払う。カード会社Ａｔｍは回収した購読料金ｓｂｓｆを主催者Ｍｓ８へ還流し、主催者Ｍｓ８はカード会社Ａｔｍへ課金処理費ｖｆを支払う。
したがって主催者Ｍｓ８の収入は広告料金ａｆと購読料金ｓｂｓｆであり、支出は情報コンテンツ購入代金（ｎｆ８０１など）と電波使用料ｂｆと課金処理費ｖｆおよび諸経費であり、この差額が粗利益として確保される。
【０１１８】
このように、本実施形態に係るビジネスモデルを適用して、新聞社や出版社または放送局の何れでもない第三者的な業種の企業が、情報コンテンツたとえば刊行物の再販提供にかかるビジネスを展開することが可能になる。
【０１１９】
上述したように、本発明により以下の利点を実現することができる。
１．購読者である視聴側は所望する分野や発行元、さらに購読期間を指定し、必要な記事や広告だけを取り込めるので、契約の自由度が高く、また購読者は取り込んだ記事や広告の料金のみを支払えばよく、コスト効果を改善できる。
２．とりわけ購読期間の自由度が拡大し、短期間購読や不定期購読が可能になる。よって購読者の必要とする時期のみ、また所望する期間のみ契約して購読できる。
３．購読対象の情報がコンテンツ配信により伝送されるから、購読者は回線使用料金を負担する必要がなく、低コストである。
４．情報が購読者の手許に迅速且つ直ちに届くので、最新の情報を供給できる。しかも常時更新可能である。
５．不要な情報に係る、用紙や印刷インク、および人手による配達が不要で、無駄を省き低コストとなる。
６．さらに購読対象の情報のうちでも必要な部分だけを選択して印刷できるので、用紙の無駄な使用がなくなり、資源が有効に利用できる。
７．受信する時間を指定しておくことによって、その時点での最新情報を受信することができる。
８．以前の新聞や広告を記録保存しておき、後に検索することができる。
９．情報の発行元が複数でも包括的な購読契約ができ、便利である。
１０．記事ごとに紙面広告や折込広告を対応させるか、または紙面広告や折込広告ごとに記事、または複数の記事を対応させることができ、広告効果が高まるから広告主にとり福音となる。また購読者は夥しい量の折り込み広告中から自分の必要とするジャンルの広告を抽出する手間が不要となり、便利である。
１１．従来の新聞社、出版社、放送局以外の第３者的立場の業界が情報再販ビジネスに参画できる。
【０１２０】
【発明の効果】
以上詳述したように、本発明の請求項１に係る情報授受方法は、第１過程で供給側が情報フラグメントを生成の上、コンテンツ配信に載せて配信し、第２過程で視聴側が注文・選択情報を通信媒体経由で供給側へ送付し、第３過程で供給側が限定受信情報を通信媒体経由で視聴側へ送付し、第４過程で供給側が視聴側への課金処理を実行し、第５過程で視聴側が限定受信情報に基づき指定に適う情報フラグメントをコンテンツ配信ストリームから取り込むものであるから、視聴側は情報フラグメントの伝送コストを負担する必要がなく、情報が迅速且つ直ちに届けられるから最新の情報が入手できる。しかも常時更新された情報を入手でき、且つ印刷刊行物のような用紙の無駄な消費が発生しない。また視聴側が通信媒体経由で所望する分野や期間等を自在に指定して購読契約できるから、契約の自由度が向上する。
さらに供給側が通信媒体経由で入手した注文・選択情報に基づき課金決済手続きを行うことで、決済処理と手間を簡素化できる。
【０１２２】
本発明の請求項２に係る情報授受方法は、第１過程で供給側が情報フラグメントを生成し、また記事／広告対応情報を作成の上、これらをコンテンツ配信に載せて配信し、第２過程で視聴側が注文・選択情報を通信媒体経由で供給側へ送付し、第３過程で供給側が限定受信情報を通信媒体経由で視聴側へ送付し、第４過程で供給側が視聴側への課金処理を実行し、第５過程で視聴側が限定受信情報に基づき指定に適う情報フラグメントおよび記事／広告対応情報に基づき対応付けられた情報フラグメントをコンテンツ配信ストリームから取り込むものであるから、供給側で記事と広告を自在に対応させることができ、また記事／広告の対応の変更が必要な際に、記事／広告対応情報の内容の変更のみで対処が容易にできる。さらに通信媒体経由で入手した注文・選択情報に基づき課金決済手続きを行うことで、決済処理と手間を簡素化できる。
【０１２３】
また視聴側は情報フラグメントおよび記事／広告対応情報の伝送コストを負担する必要がなく、情報が迅速且つ直ちに届けられるから最新の情報が入手できる。しかも常時更新された情報を入手でき、且つ印刷刊行物のような用紙の無駄な消費が発生しない。また視聴側が通信媒体経由で所望する分野や期間等を自在に指定して購読契約できるから、契約の自由度が向上する。
さらに限定受信情報に基づき記事または広告を取り込む際に、記事／広告対応情報に基づき、記事に予め対応付けがなされた広告、または広告に予め対応付けがなされた記事を取り込むことにより、記事と対応した広告の同時画面表示、または広告と対応した記事の同時画面表示が可能となる。
【０１２４】
本発明の請求項３に係る情報授受方法は、請求項１または２記載のものであって、前記第１過程は、少なくとも前記情報フラグメントを暗号化して前記視聴者側へ送信し、
前記第３過程は、前記限定受信情報に少なくとも、前記暗号化された情報フラグメントから元の情報フラグメントを復元するための復号化情報を搭載させ、
前記第５過程は、取り込んだ前記暗号化された情報フラグメントにつき、受信した前記復号化情報に基づいて元の情報フラグメントに復号させる、
ことを特徴とするから、暗号化／復号化により安全性が確保されたコンテンツ配信の限定受信を具現できる。
【０１２５】
本発明の請求項４に係る情報授受方法は、請求項１または２記載のものであって、第３過程において限定受信情報に、視聴者側が指定に適う情報フラグメントのみか、或いは指定に適う情報フラグメントおよび、これに対応付けられた情報フラグメントに限定して取り込むよう制御する制御情報を搭載させ、第５過程において、制御情報に基づきコンテンツ配信ストリームから指定に適う情報フラグメントのみか、或いは指定に適う情報フラグメントおよび、これに対応付けられた情報フラグメントのみを取り込ませるものであるから、暗号化／復号化によらない簡素化した仕組みによってコンテンツ配信の限定受信、とりわけ記事およびそれに対応させた広告のみの受信を可能にする。
【０１２６】
本発明の請求項５に係る情報授受システムは、供給側の配信手段が情報フラグメントを生成して配信し、販売管理手段が注文情報を通信媒体経由で視聴側から受け、また限定受信情報を通信媒体経由で視聴側へ送り、決済手段が視聴側への課金処理を実行し、他方において視聴側の管理および通信手段が注文情報を通信媒体経由で供給側へ送り、また限定受信情報を通信媒体経由で視聴側から受け、受信手段が限定受信情報に基づき指定に適う情報フラグメントをコンテンツ配信ストリームから取り込むものであるから、視聴側は情報フラグメントの伝送コストを負担する必要がなく、情報が迅速且つ直ちに届けられるから最新の情報が入手できる。しかも常時更新された情報を入手でき、且つ印刷刊行物のような用紙の無駄な消費が発生しない。また視聴側が通信媒体経由で所望する分野や期間等を自在に指定して購読契約できるから、契約の自由度が向上する。
さらに供給側が通信媒体経由で入手した注文情報に基づき課金決済手続きを行うことで、決済処理と手間を簡素化できる。
【０１２７】
本発明の請求項６に係る情報授受システムは、供給側の配信手段が情報フラグメントや記事／広告対応情報を作成してこれらを配信し、また販売管理手段が注文情報を通信媒体経由で視聴側から受け、また限定受信情報を通信媒体経由で視聴側へ送り、決済手段が視聴側への課金処理を実行し、他方において視聴側の受信手段が情報フラグメントおよび記事／広告対応情報を載せたコンテンツ配信ストリームを受信し、管理および通信手段が注文情報を通信媒体経由で供給側へ送り、また限定受信情報を通信媒体経由で供給側から受け、受信手段が限定受信情報および記事／広告対応情報に基づき指定に適う情報フラグメントおよび対応付けられた情報フラグメントをコンテンツ配信ストリームから取り込むものであるから、供給側で記事と広告を自在に対応させることができ、また記事／広告の対応の変更が必要な際に、記事／広告対応情報の内容の変更のみで対処が容易にできる。さらに通信媒体経由で入手した注文情報に基づき課金決済手続きを行うことで、決済処理と手間を簡素化できる。
【０１２８】
一方、視聴側は情報フラグメントと記事／広告対応情報の伝送コストを負担する必要がなく、情報が迅速且つ直ちに届けられるから最新の情報が入手できる。
しかも常時更新された情報を入手でき、且つ印刷刊行物のような用紙の無駄な消費発生を防止できる。また通信媒体経由で所望する分野や期間等を自在に指定して購読契約できるから、契約の自由度が向上する。
さらに限定受信情報に基づき記事または広告を取り込む際に、記事／広告対応情報に基づき、記事に予め対応付けがなされた広告、または広告に予め対応付けがなされた記事を取り込むことにより、記事と対応した広告の同時画面表示、または広告と対応した記事の同時画面表示が可能となる。
【０１２９】
本発明の請求項７に係る情報授受システムは請求項５または６記載のものであって、供給側の配信手段が情報フラグメントを暗号化して送信し、販売管理手段が復号化情報を限定受信情報に搭載し、視聴側の受信手段が取り込んだ情報フラグメントを復号化情報に基づいて復号させるから、暗号化／復号化により安全性が確保されたコンテンツ配信の限定受信を具現できる。
【０１３０】
本発明の請求項８に係る情報授受システムは、請求項５または６記載のものであって、販売管理手段は、受信手段を指定内容に適う情報フラグメントのみか、或いは指定内容に適う情報フラグメントおよび、これに対応付けられた情報フラグメントのみを取り込むよう制御する制御情報を送り、視聴側ではこの制御情報に基づいて、コンテンツ配信ストリームから指定内容に適う情報フラグメントのみか、或いは指定内容に適う情報フラグメントおよび、これに対応付けられた情報フラグメントのみを取り込むよう動作するから、暗号化／復号化によらない簡素化された装置構成でコンテンツ配信の限定受信、とりわけ記事およびそれに対応させた広告のみの限定受信が具現される。
【図面の簡単な説明】
【図１】本発明に係る情報授受方法を適用した情報授受システムの第１の実施形態の概要構成図である。
【図２】図１に示された供給側の概要ブロック図である。
【図３】図１に示された視聴側の概要ブロック図である。
【図４】図１に示された情報授受システムの情報の流れの説明図である。
【図５】図１に示された情報授受システムの動作フロー図である。
【図６】視聴側の表示画面の例である。
【図７】ジャンル・リストの例を示す図である。
【図８】図２に示された供給側の別例の概要ブロック図である。
【図９】図８に示された供給側の詳細ブロック構成図である。
【図１０】図３に示された視聴側の詳細ブロック構成図である。
【図１１】交信シーケンスチャートである。
【図１２】本発明に係る情報授受方法を適用した情報授受システムの第２の実施形態における、供給側のブロック構成図である。
【図１３】本発明に係る情報授受方法を適用した情報授受システムの第２の実施形態における、視聴側のブロック構成図である。
【図１４】供給側が複数の主催者で構成される場合の説明図である。
【図１５】本発明に係る情報授受方法を適用した情報授受システムの第３の実施形態の概要構成図である。
【図１６】本発明に係る情報授受方法を適用した情報授受システムの第４の実施形態の概要構成図である。
【図１７】本発明に係る情報授受方法を適用した情報授受システムの第５の実施形態の概要構成図である。
【図１８】記事フラグメントと広告フラグメントを対応付けた対応表の例である。
【図１９】図１７に示された情報授受システムの供給側のブロック構成図である。
【図２０】図１７に示された情報授受システムの視聴側のブロック構成図である。
【図２１】画面構成の例を示す図である。
【図２２】本発明に係る情報授受方法を適用した情報授受システムの第６の実施形態におけるビジネス形態の説明図である。
【図２３】本発明に係る情報授受方法を適用した情報授受システムの第７の実施形態におけるビジネス形態の説明図である。
【図２４】本発明に係る情報授受方法を適用した情報授受システムの第８の実施形態におけるビジネス形態の説明図である。
【符号の説明】
Ｓｙｓ１……情報授受システム、Ｓｐｙ１……供給側、Ｂｃｍａ……デジタル放送媒体、Ｏｓｔｒ……オンエア・ストリーム、Ｎｗ……通信媒体、Ｖｗ１……視聴側、ｆｇｍｎ……記事フラグメント、ｆｇｍａ……紙面広告フラグメント、ｆｇｍｄ……折込広告、Ｉｃｒｔ１……注文・選択情報、ｉｔｃ１……発行元および期間指定のデータ、ｉｔｃ２……分野を選択指定のデータ、ｉｔｃ３……決済指定のデータ、Ｉｒｃｖ１……限定受信情報、ｉｔｍ１……発行元および期間を限定する項目、ｉｔｍ２……記事ジャンルを限定する項目、ｉｔｍ３……紙面広告ジャンルを限定する項目、ｉｔｍ４……折込広告ジャンルを限定する項目、ｉｔｍ５……限定受信制御信号
【図１】
0004774622.tif 000002
【図２】
0004774622.tif 000003
【図３】
0004774622.tif 000004
【図４】
0004774622.tif 000005
【図５】
0004774622.tif 000006
【図６】
0004774622.tif 000007
【図７】
0004774622.tif 000008
【図８】
0004774622.tif 000009
【図９】
0004774622.tif 000010
【図１０】
0004774622.tif 000011
【図１１】
0004774622.tif 000012
【図１２】
0004774622.tif 000013
【図１３】
0004774622.tif 000014
【図１４】
0004774622.tif 000015
【図１５】
0004774622.tif 000016
【図１６】
0004774622.tif 000017
【図１７】
0004774622.tif 000018
【図１８】
0004774622.tif 000019
【図１９】
0004774622.tif 000020
【図２０】
0004774622.tif 000021
【図２１】
0004774622.tif 000022
【図２２】
0004774622.tif 000023
【図２３】
0004774622.tif 000024
【図２４】
0004774622.tif 000025